(57)【要約】  超音波外科用器具は、本体と、本体によって支持された超音波トランスデューサと、本体から遠位に延在してシャフト軸を画定するシャフトと、シャフトを通じて遠位に延在する導波管と、シャフトの遠位端に配置されたエンドエフェクタと、を備える。エンドエフェクタは、導波管の遠位端に連結され、組織を処置するように構成されている一次ブレード処置面を有する超音波ブレードと、シャフトの遠位端に連結されたクランプアームと、を備える。シャフト及び導波管は、アセンブリ状態と動作状態との間の所定の角度運動範囲に亘って、シャフト軸を中心に互いに対して選択的に回転可能である。アセンブリ状態において、クランプアーム及び一次ブレード処置面は、互いから回転式にオフセットされる。動作状態において、クランプアーム及び一次ブレード処置面は、回転式に整合される。
2020531196.tif 000002
【特許請求の範囲】
【請求項１】
超音波外科用器具であって、
（ａ）本体と、
（ｂ）前記本体によって支持されるように構成されている超音波トランスデューサと、
（ｃ）前記本体から遠位に延在し、シャフト軸を画定するシャフトと、
（ｄ）前記シャフトを通じて遠位に延在するように構成されている導波管と、
（ｅ）前記シャフトの遠位端に配置されたエンドエフェクタであって、前記エンドエフェクタは、
（ｉ）前記導波管の遠位端に連結され、組織を処置するように構成されている一次ブレード処置面を有する超音波ブレードであって、前記超音波トランスデューサは、前記導波管及び前記超音波ブレードを、超音波エネルギーで駆動するように構成されている、超音波ブレード、及び、
（ｉｉ）前記シャフトの前記遠位端に連結されたクランプアームであって、前記クランプアームは、前記一次ブレード処置面に対して組織をクランプするように構成されている、クランプアーム、を備える、エンドエフェクタと、を備え、
前記シャフト及び前記導波管は、アセンブリ状態と動作状態との間の所定の角度運動範囲に亘って、前記シャフト軸を中心に互いに対して選択的に回転可能であり、前記アセンブリ状態において、前記クランプアーム及び前記一次ブレード処置面が互いから回転式にオフセットされ、前記動作状態において、前記クランプアーム及び前記一次ブレード処置面は、互いに対して回転式に整合されている、超音波外科用器具。
【請求項２】
前記クランプアームは、前記外科用器具が前記動作状態にあるとき、前記一次ブレード処置面と対峙するように構成されている、請求項１に記載の超音波外科用器具。
【請求項３】
前記所定の角度運動範囲は、少なくとも９０度の角度運動を含む、請求項１に記載の超音波外科用器具。
【請求項４】
前記シャフトは、外側シャフト管と、前記外側シャフト管内に受容されるように構成されている内側シャフト管と、を備え、前記クランプアームは、前記外側シャフト管に連結され、前記導波管は、前記内側シャフト管内に配設され、前記外側シャフト管及び前記内側シャフト管は、前記所定の角度運動範囲に亘って、互いに対して回転可能である、請求項１に記載の超音波外科用器具。
【請求項５】
前記シャフトは、前記外科用器具が前記動作状態にあるときに、前記外側シャフト管を前記内側シャフト管と回転式に連結するように構成されているコネクタ要素を更に備える、請求項４に記載の超音波外科用器具。
【請求項６】
（ａ）前記本体に連結された第１の整合部材と、
（ｂ）導波管に連結された第２の整合部材と、を更に備え、
前記第１及び第２の整合部材は、互いに係合し、前記所定の角度運動範囲に亘って、前記シャフトと前記導波管との間の相対的な回転を案内するように構成されている、請求項１に記載の超音波外科用器具。
【請求項７】
前記第１の整合部材は、突出部又はスロットのうちの一方を含み、前記第２の整合部材は、突出部又はスロットのうちの他方を含み、前記突出部は、前記スロット内で摺動可能である、請求項６に記載の超音波外科用器具。
【請求項８】
前記第１の整合部材は、前記本体に連結された整合管を備え、前記導波管は、前記整合管を通って遠位に延在するように構成されている、請求項７に記載の超音波外科用器具。
【請求項９】
前記スロットの少なくとも一部は、前記シャフト軸に対して角度を有して延在し、前記スロットを通る前記突出部の遠位移動に応じて、前記シャフトに対する前記導波管の回転を方向付けるように構成されている、請求項７に記載の超音波外科用器具。
【請求項１０】
前記スロットは、前記シャフトに対する前記導波管の回転を、第１の角度方向に方向付けるように構成されている第１の角度部分と、前記シャフトに対する前記導波管の回転を第２の角度方向に方向付けるように構成されている第２の角度部分と、を備え、前記第２の角度部分は、前記第１の角度部分の遠位に配置されている、請求項９に記載の超音波トランスデューサ。
【請求項１１】
前記スロットは、前記突出部と係合して、前記シャフトに対する前記導波管の回転を方向付けるように構成されている、第１及び第２のカム面を含む、請求項９に記載の超音波トランスデューサ。
【請求項１２】
前記第１の整合部材は、前記本体に連結された整合管を備え、前記第２の整合部材は、前記シャフトの近位端に連結された整合プラグを備え、前記整合管は、前記整合プラグを受容するように構成されており、前記整合プラグは、前記アセンブリ状態と前記動作状態との間で前記器具を移行させるため、前記所定の角度運動範囲に亘って、前記整合管に対して回転するように構成されている、請求項６に記載の超音波外科用器具。
【請求項１３】
前記整合プラグは、前記器具が前記アセンブリ状態にあり、前記整合プラグが前記本体に対して前記整合管と共に並進することが防止された第１のプラグ位置と、前記器具が前記動作状態にあり、前記整合プラグが前記本体に対して前記整合管と共に並進することが許容されることで、前記クランプアームを作動させる第２のプラグ位置との間で、前記整合管に対して回転可能である、請求項１２に記載の超音波外科用器具。
【請求項１４】
前記整合プラグは、ラグを含み、前記整合管は、前記ラグを受容するように構成されている、周方向に延在したスロットを含み、前記周方向に延在したスロットは、前記第１のプラグ位置を画定する第１のスロット端と、前記第２のプラグ位置を画定する第２のスロット端とを有する、請求項１３に記載の超音波外科用器具。
【請求項１５】
前記本体に連結された外側案内管を更に備え、前記整合管は、前記外側案内管の第１の端部内に配設され、前記整合プラグは、前記外側案内管の第２の端部内に受容されるように構成されている、請求項１２に記載の超音波外科用器具。
【請求項１６】
超音波外科用器具であって、
（ａ）本体と、
（ｂ）前記本体によって支持されるように構成されている超音波トランスデューサと、
（ｃ）前記超音波トランスデューサから遠位に延在し、超音波ブレードで終端する導波管であって、前記超音波トランスデューサは、前記導波管及び前記超音波ブレードを、超音波エネルギーで駆動するように構成されている、導波管と、
（ｄ）前記本体から遠位に延在し、シャフト軸を画定する第１のシャフト管と、
（ｅ）前記本体に連結された第１のシャフト整合部材と、
（ｆ）前記本体に対して選択的に連結可能である、取り外し可能なアセンブリであって、前記取り外し可能なアセンブリは、
（ｉ）前記取り外し可能なアセンブリが前記本体と連結されているとき、前記第１のシャフト管と共に長手方向に延在するように構成されている第２のシャフト管、及び、
（ｉｉ）前記第２のシャフト管に連結された第２のシャフト整合部材、を備える、取り外し可能なアセンブリと、を備え、
前記第１及び第２のシャフト整合部材は、互いに係合して、前記第１のシャフト管と第２のシャフト管との間の相対的な回転を案内することにより、前記取り外し可能なアセンブリが前記本体に連結されているとき、前記第１及び第２のシャフト管を互いに対して回転式の整合に配向するように構成されている、超音波外科用器具。
【請求項１７】
前記第１又は第２のシャフト整合部材のうちの一方は、突出部を含み、前記第１又は第２のシャフト整合部材のうちの他方は、前記突出部を受容するように構成されているスロットを含み、前記スロットは、前記シャフト軸の周りを周方向に延在する経路に沿って、前記突出部を案内するように構成されている、請求項１６に記載の超音波外科用器具。
【請求項１８】
前記第１のシャフト整合部材は、管を備え、前記管は、前記本体に対して前記シャフト軸の周りを回転するように構成されている、請求項１６に記載の超音波外科用器具。
【請求項１９】
超音波外科用器具であって、
（ａ）本体と、
（ｂ）前記本体から遠位に延在するシャフト管と、
（ｃ）前記本体と選択的に連結可能である、取り外し可能なアセンブリであって、前記取り外し可能なアセンブリは、
（ｉ）超音波トランスデューサ、及び、
（ｉｉ）前記超音波トランスデューサから遠位に延在し、超音波ブレードで終端する導波管であって、前記導波管は、前記シャフト管内に受容されるように構成されている、導波管、を備える、取り外し可能なアセンブリと、を備え、
前記超音波トランスデューサは、前記導波管及び前記超音波ブレードを、超音波エネルギーで駆動するように構成されており、
前記導波管及び前記超音波ブレードは、前記本体に対する前記取り外し可能なアセンブリの長手方向の移動に応じて、所定の角度運動範囲に亘って、前記シャフト管に対して回転するように構成されている、超音波外科用器具。
【請求項２０】
（ａ）前記本体に連結された第１の整合部材と、
（ｂ）前記取り外し可能なアセンブリに連結された第２の整合部材と、を更に備え、
前記第１及び第２の整合部材は、互いに係合し、前記シャフト管に対する前記導波管及び前記超音波ブレードの回転を案内するように構成されている、請求項１９に記載の超音波外科用器具。
【発明の詳細な説明】
【背景技術】
【０００１】
超音波外科用器具は、超音波エネルギーを組織の正確な切断及び凝固の制御の両方の目的で利用する。超音波エネルギーは、組織と接触しているブレードを振動させることによって切断かつ凝固させる。超音波ブレードは、例えば、約５０キロヘルツ（ｋＨｚ）の周波数で振動させることによって、組織内のタンパク質を変性させて、粘着性の凝塊を形成する。ブレード表面が組織に及ぼす圧力により血管が崩壊され、凝塊が止血封鎖を形成することを可能にする。切断及び凝固の精度は、例えば、外科医の技術、並びに電力レベル、ブレードの刃、組織牽引、及びブレード圧力の調節によって制御され得る。
【０００２】
超音波外科用装置の例としては、ＨＡＲＭＯＮＩＣ  ＡＣＥ（登録商標）Ｕｌｔｒａｓｏｎｉｃ  Ｓｈｅａｒｓ、ＨＡＲＭＯＮＩＣ  ＷＡＶＥ（登録商標）Ｕｌｔｒａｓｏｎｉｃ  Ｓｈｅａｒｓ、ＨＡＲＭＯＮＩＣ  ＦＯＣＵＳ（登録商標）Ｕｌｔｒａｓｏｎｉｃ  Ｓｈｅａｒｓ、及びＨＡＲＭＯＮＩＣ  ＳＹＮＥＲＧＹ（登録商標）Ｕｌｔｒａｓｏｎｉｃ  Ｂｌａｄｅｓが挙げられ、これらはいずれもＥｔｈｉｃｏｎ  Ｅｎｄｏ−Ｓｕｒｇｅｒｙ，Ｉｎｃ．（Ｃｉｎｃｉｎｎａｔｉ，Ｏｈｉｏ）製である。かかる装置及び関連する概念の更なる例は、その開示が参照により本明細書に組み込まれる、１９９４年６月２１日に発行された米国特許第５，３２２，０５５号、名称「Ｃｌａｍｐ  Ｃｏａｇｕｌａｔｏｒ／Ｃｕｔｔｉｎｇ  Ｓｙｓｔｅｍ  ｆｏｒ  Ｕｌｔｒａｓｏｎｉｃ  Ｓｕｒｇｉｃａｌ  Ｉｎｓｔｒｕｍｅｎｔｓ」、その開示が参照により本明細書に組み込まれる、１９９９年２月２３日に発行された米国特許第５，８７３，８７３号、名称「Ｕｌｔｒａｓｏｎｉｃ  Ｃｌａｍｐ  Ｃｏａｇｕｌａｔｏｒ  Ａｐｐａｒａｔｕｓ  Ｈａｖｉｎｇ  Ｉｍｐｒｏｖｅｄ  Ｃｌａｍｐ  Ｍｅｃｈａｎｉｓｍ」、その開示が参照により本明細書に組み込まれる、１９９９年１１月９日に発行された米国特許第５，９８０，５１０号、名称「Ｕｌｔｒａｓｏｎｉｃ  Ｃｌａｍｐ  Ｃｏａｇｕｌａｔｏｒ  Ａｐｐａｒａｔｕｓ  Ｈａｖｉｎｇ  Ｉｍｐｒｏｖｅｄ  Ｃｌａｍｐ  Ａｒｍ  Ｐｉｖｏｔ  Ｍｏｕｎｔ」、その開示が参照により本明細書に組み込まれる、２００１年９月４日に発行された米国特許第６，２８３，９８１号、名称「Ｍｅｔｈｏｄ  ｏｆ  Ｂａｌａｎｃｉｎｇ  Ａｓｙｍｍｅｔｒｉｃ  Ｕｌｔｒａｓｏｎｉｃ  Ｓｕｒｇｉｃａｌ  Ｂｌａｄｅｓ」、その開示が参照により本明細書に組み込まれる、２００１年１０月３０日に発行された米国特許第６，３０９，４００号、名称「Ｃｕｒｖｅｄ  Ｕｌｔｒａｓｏｎｉｃ  Ｂｌａｄｅ  ｈａｖｉｎｇ  ａ  Ｔｒａｐｅｚｏｉｄａｌ  Ｃｒｏｓｓ  Ｓｅｃｔｉｏｎ」、その開示が参照により本明細書に組み込まれる、２００１年１２月４日に発行された米国特許第６，３２５，８１１号、名称「Ｂｌａｄｅｓ  ｗｉｔｈ  Ｆｕｎｃｔｉｏｎａｌ  Ｂａｌａｎｃｅ  Ａｓｙｍｍｅｔｒｉｅｓ  ｆｏｒ  ｕｓｅ  ｗｉｔｈ  Ｕｌｔｒａｓｏｎｉｃ  Ｓｕｒｇｉｃａｌ  Ｉｎｓｔｒｕｍｅｎｔｓ」、その開示が参照により本明細書に組み込まれる、２００２年７月２３日に発行された米国特許第６，４２３，０８２号、名称「Ｕｌｔｒａｓｏｎｉｃ  Ｓｕｒｇｉｃａｌ  Ｂｌａｄｅ  ｗｉｔｈ  Ｉｍｐｒｏｖｅｄ  Ｃｕｔｔｉｎｇ  ａｎｄ  Ｃｏａｇｕｌａｔｉｏｎ  Ｆｅａｔｕｒｅｓ」、その開示が参照により本明細書に組み込まれる、２００４年８月１０日に発行された米国特許第６，７７３，４４４号、名称「Ｂｌａｄｅｓ  ｗｉｔｈ  Ｆｕｎｃｔｉｏｎａｌ  Ｂａｌａｎｃｅ  Ａｓｙｍｍｅｔｒｉｅｓ  ｆｏｒ  Ｕｓｅ  ｗｉｔｈ  Ｕｌｔｒａｓｏｎｉｃ  Ｓｕｒｇｉｃａｌ  Ｉｎｓｔｒｕｍｅｎｔｓ」、２００４年８月３１日に発行された、「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」と題する、米国特��第６，７８３，５２４号、その開示は参照により本明細書に組み込まれる；その開示が参照により本明細書に組み込まれる、２０１１年１１月１５日に発行された米国特許第８，０５７，４９８号、名称「Ｕｌｔｒａｓｏｎｉｃ  Ｓｕｒｇｉｃａｌ  Ｉｎｓｔｒｕｍｅｎｔ  Ｂｌａｄｅｓ」、その開示が参照により本明細書に組み込まれる、２０１３年６月１１日に発行された米国特許第８，４６１，７４４号、名称「Ｒｏｔａｔｉｎｇ  Ｔｒａｎｓｄｕｃｅｒ  Ｍｏｕｎｔ  ｆｏｒ  Ｕｌｔｒａｓｏｎｉｃ  Ｓｕｒｇｉｃａｌ  Ｉｎｓｔｒｕｍｅｎｔｓ」、その開示が参照により本明細書に組み込まれる、２０１３年１１月２６日に発行された米国特許第８，５９１，５３６号、名称「Ｕｌｔｒａｓｏｎｉｃ  Ｓｕｒｇｉｃａｌ  Ｉｎｓｔｒｕｍｅｎｔ  Ｂｌａｄｅｓ」、その開示が参照により本明細書に組み込まれる、２０１４年１月７日に発行された米国特許第８，６２３，０２７号、名称「Ｅｒｇｏｎｏｍｉｃ  Ｓｕｒｇｉｃａｌ  Ｉｎｓｔｒｕｍｅｎｔｓ」、その開示が参照により本明細書に組み込まれる、２０１５年８月４日に発行された米国特許第９，０９５，３６７号、名称「Ｆｌｅｘｉｂｌｅ  Ｈａｒｍｏｎｉｃ  Ｗａｖｅｇｉｄｅｓ／Ｂｌａｄｅｓ  ｆｏｒ  Ｓｕｒｇｉｃａｌ  Ｉｎｓｔｒｕｍｅｎｔｓ」、及びその開示が参照により本明細書に組み込まれる、２０１６年１月２８日に公開された米国特許出願公開第２０１６／００２２３０５号、名称「Ｕｌｔｒａｓｏｎｉｃ  Ｂｌａｄｅ  Ｏｖｅｒｍｏｌｄ」に開示されている。
【０００３】
種々の超音波外科用器具が作製及び使用されているが、本発明者（ら）に先だって本明細書において説明されるような発明を作製又は使用した者はいないものと考えられる。
【図面の簡単な説明】
【０００４】
本明細書に組み込まれていると共にその一部をなす添付の図面は、本発明の実施形態を示すものであり、上記の本発明の一般的説明、及び以下の実施形態の詳細な説明と共に、本発明の原理を説明する役割を果たすものである。
【図１】例示的な超音波外科用器具の斜視図である。
【図２】ハンドルアセンブリ及び取り外し可能なアセンブリを有する、図１の超音波外科用器具の側面分解図である。
【図３】図１の超音波外科用器具の外側シャフト管、コネクタ管、及びクランプアームの斜視図である。
【図４】図３の外側シャフト管、コネクタ管、及びクランプアームの側面断面図である。
【図５】図２の取り外し可能なアセンブリの斜視図である。
【図６】図２の取り外し可能なアセンブリの分解斜視図である。
【図７】図２の取り外し可能なアセンブリの側面断面図である。
【図８】ハンドルアセンブリの側方部分を省略した、図２のハンドルアセンブリの側面斜視図である。
【図９】図２のハンドルアセンブリの整合管の斜視図である。
【図１０】図９の整合管の断面側面図である。
【図１１】図２の超音波外科用器具の背面斜視図であり、ハンドルアセンブリと組み立てられている取り外し可能なアセンブリを示している。
【図１２Ａ】ハンドルアセンブリの側方部分が省略された、図２のハンドルアセンブリ及び取り外し可能なアセンブリの側面立面図であり、ハンドルアセンブリの整合管の整合スロット内の近位ピン位置にある、取り外し可能なアセンブリの整合ピンを示している。
【図１２Ｂ】図１の超音波外科用器具の遠位端の斜視図であり、図１２Ａの近位ピン位置に対応する第１の向きにある、取り外し可能なアセンブリの超音波ブレードを示している。
【図１３Ａ】図２のハンドルアセンブリ及び取り外し可能なアセンブリの側面立面図であり、整合管の整合スロット内の中間ピン位置にある整合ピンを示している。
【図１３Ｂ】図２の超音波外科用器具の遠位端の斜視図であり、図１３Ａの中間ピン位置に対応する第２の向きにある、超音波ブレードを示している。
【図１４Ａ】図２のハンドルアセンブリ及び取り外し可能なアセンブリの側面立面図であり、整合管の整合スロット内の第１の遠位ピン位置にある整合ピンを示している。
【図１４Ｂ】図２の超音波外科用器具の遠位端の斜視図であり、図１４Ａの第１の遠位ピン位置に対応する第３の向きにある超音波ブレードを示している。
【図１５Ａ】図２のハンドルアセンブリ及び取り外し可能なアセンブリの側面立面図であり、整合管の整合スロット内の第２の遠位ピン位置にある整合ピンを示している。
【図１５Ｂ】図２の超音波外科用器具の遠位端の斜視図であり、図１５Ａの第２の遠位ピン位置に対応する第４の向きにある超音波ブレードを示している。
【図１６】他の例示的な超音波外科用器具の斜視図である。
【図１７】ハンドルアセンブリ及び取り外し可能なアセンブリを有する、図１６の超音波外科用器具の斜視分解図である。
【図１８】図１６の超音波外科用器具の外側シャフト管、コネクタ管、及びクランプアームの斜視図である。
【図１９】図１８の外側シャフト管、コネクタ管、及びクランプアームの側面断面図である。
【図２０】ハンドルアセンブリの側方部分及び回転ノブが省略された、図１６の超音波外科用器具の斜視図である。
【図２１】嵌合構成にある取り外し可能なアセンブリ及びハンドルアセンブリの選択部分の側面断面図である。
【図２２Ａ】取り外し可能なアセンブリの整合プラグと、ハンドルアセンブリの内側整合管及び外側案内管との斜視図であり、内側整合管及び外側案内管から分解された整合プラグを示している。
【図２２Ｂ】図２２Ａの構成要素の斜視図であり、内側整合管及び外側案内管と組み立てられ、第１の回転位置にある整合プラグを示している。
【図２３Ａ】外側案内管が省略された、図２２Ｂの整合プラグ及び内側整合管の斜視図であり、第１の回転位置にある整合プラグを示している。
【図２３Ｂ】図１６の超音波外科用器具のエンドエフェクタの斜視図であり、図２３Ａの第１の整合プラグ位置に対応する第１の向きにあるクランプアームを示している。
【図２４Ａ】図２３Ａの整合プラグ及び内側整合管の斜視図であり、内側整合管に対して第２の回転位置にある整合プラグを示している。
【図２４Ｂ】図２３Ｂのエンドエフェクタの斜視図であり、図２４Ａの第２の整合プラグ位置に対応する第２の向きにあるクランプアームを示している。
【図２５Ａ】図１６の超音波外科用器具のハンドルアセンブリの正面斜視図であり、外側案内管に対してその第２の回転位置にある整合プラグを示している。
【図２５Ｂ】図２５Ａのハンドルアセンブリの正面斜視図であり、外側案内管に対する整合プラグ及び外側シャフト管の近位への作動を示している。
【図２６】他の例示的な整合プラグ及び対応する外側案内管の正面斜視図である。
【図２７】図２６の整合プラグ及び外側案内管の側面斜視図である。
【０００５】
図面は、いかなる方式でも限定することを意図しておらず、本発明の様々な実施形態は、図面に必ずしも描写されていないものを含め、他の様々な方式で実施し得ることが企図される。本明細書に組み込まれ、その一部をなす添付図面は、本発明のいくつかの態様を図示したものであり、本説明文と共に本発明の原理を説明する役割を果たすものである。しかしながら、本発明が、示される正確な配置に限定されない点は理解される。
【発明を実施するための形態】
【０００６】
本発明の特定の実施例の以下の説明文は、本発明の範囲を限定する目的で用いられるべきではない。本発明の他の実施例、特徴、態様、実施形態、及び利点は、本発明を実施するために想到される最良の形態の１つを実例として示す以下の説明文より、当業者には明らかとなろう。理解されるように、本発明は、いずれも本発明から逸脱することなく、他の異なるかつ明白な態様が可能である。したがって、図面及び説明は、限定的な性質のものではなく、例示的な性質のものと見なされるべきである。
【０００７】
本開示の明瞭さのために、「近位」及び「遠位」という用語は、遠位外科用エンドエフェクタを有する外科用器具を握持する外科医又は他の操作者に対して本明細書で定義される。「近位」という用語は、外科医により近く配置された要素の位置を指し、「遠位」という用語は、外科用器具の外科用エンドエフェクタにより近く、外科医からより遠くに配置された要素の位置を指す。また、図面を参照して「上部」、「下部」、「垂直」、「水平」などの空間的用語が本明細書で使用される限り、このような用語は例示的な記述目的にのみ使用されて、限定も絶対も意図していないと理解されるであろう。その点において、本明細書に開示されるものなどの外科用器具を、本明細書で図示及び記載するものに限定されない様々な向き及び位置で使用してもよいことが理解される。
【０００８】
Ｉ．取り外し可能な音響アセンブリを有する例示的な超音波外科用器具
Ａ．例示的な超音波外科用器具の概要
図１及び図２は、ハンドルアセンブリ（１２）と、ハンドルアセンブリ（１２）に対して選択的に連結及び連結解除するように構成されている、取り外し可能な音響アセンブリ（１４）と、を含む、例示的な超音波外科用器具（１０）を示している。図１に示される組立状態において、外科用器具（１０）は、ハンドルアセンブリ（１２）から遠位に延在するシャフトアセンブリ（１６）と、シャフトアセンブリ（１６）の遠位端に配置されたエンドエフェクタ（１８）とを表している。ハンドルアセンブリ（１２）は、ピストルグリップ（２２）と、外科用器具（１０）によって送達される種々の態様の超音波エネルギーを制御するために、外科医によって操作されるように構成されている、エネルギー制御ボタン（２４、２６）と、を含む本体（２０）を備える。トリガ（２８）は、本体（２０）の下方部分に向かって枢動可能に連結され、エンドエフェクタ（１８）を選択的に作動するために、ピストルグリップ（２０）に接近及び離間するように枢動可能である。図２に示されるように、本体（２０）は、以下に更に詳述するように、取り外し可能な音響アセンブリ（１４）を受容するように構成されている近位本体開口（３０）を含む。
【０００９】
シャフトアセンブリ（１６）の外側シャフト管（３２）は、ハンドルアセンブリ（１２）から遠位に延在し、本体（２０）に対して移動可能に連結されることにより、外側シャフト管（３２）が、本体（２０）に対して並進し、回転ノブ（３４）と共に本体（２０）に対して回転するように構成されるようにする。図３及び図４に示されるように、シャフト管（３２）の遠位端は、内部にスライド可能に配設されたコネクタ管（３６）を収容し、クランプアーム（３８）に連結する。コネクタ管（３６）は、その上側に配置されたスナップアーム（４０）を含み、外側シャフト管（３２）の遠位端に形成された上側長手方向スロット（４２）を通じて露出される。スナップアーム（４０）は、スナップ嵌合接続で、シャフトアセンブリ（１６）の内側シャフト管（６２）の遠位端に連結することにより、後述のように、コネクタ管（３６）を内側シャフト管（６２）と軸方向に回転式に連結するように構成されている。コネクタ管（３６）は、コネクタ管（３６）の側壁から径方向内側に突出するタブ（４１）を更に含む。以下に更に詳述するように、タブ（４１）は、内側シャフト管（６２）の遠位縁部に当接することにより、コネクタ管（３６）を内側シャフト管（６２）に対して近位方向に更に接地させて、クランプアーム（３８）の閉鎖を促進するように構成されている。
【００１０】
クランプアーム（３８）は、クランプアーム（３８）が閉鎖位置にあるとき、エンドエフェクタ（１８）の超音波ブレード（５６）に対して組織を係合及びクランプするように構成されているクランプパッド（４４）を含む。クランプアーム（３８）は、一対の近位に延在するクレビスアーム（４６）を更に含み、クレビスアーム（４６）は、コネクタ管（３６）の遠位端を間に受容し、クレビスアーム（４６）の上端を通じて受容される枢動ピン（４８）を用いて遠位端に枢動可能に連結される。クレビスアーム（４６）の下端は、外側シャフト管（３２）の遠位端と枢動可能に連結する、内側に延在した突出部を含む。クランプアーム（３８）は、トリガ（２８）により、外側シャフト管（３２）を本体（２０）に対して作動すると、超音波ブレード（５６）に接近及び離間するように、枢動ピン（４８）の周りを選択的に枢動するように構成されている。特に、クランプアーム（３８）は、外側シャフト管（３２）により、トリガ（２４）に対して動作可能に連結されることで、トリガ（２４）をピストルグリップ（２０）に向かって枢動させて、外側シャフト管（３２）のコネクタ管（３６）に対する近位への並進を駆動し、結果として、クランプアーム（３８）を超音波ブレード（５６）に向かって閉鎖位置（図示せず）まで枢動させる。対照的に、トリガ（２８）をピストルグリップ（２２）から離間するように枢動することで、外側シャフト管（３２）のコネクタ管（３６）に対する遠位への並進を駆動し、結果として、図１〜図４に示されるように、クランプアーム（３８）を超音波ブレード（５６）から離間して開放位置まで枢動させる。トリガ（２８）を外側シャフト管（３２）に対して動作可能に連結するハンドルアセンブリ（１２）の構造的構成要素について、以下に更に詳述する。
【００１１】
Ｂ．整合ピンを有する取り外し可能な音響アセンブリ
図２及び図５に示されるように、取り外し可能な音響アセンブリ（１４）は、通常、超音波トランスデューサ（５０）と、トランスデューサ（５０）を収容するトランスデューサハウジング（５２）と、トランスデューサ（５０）の遠位端に音響的に連結され、そこから遠位に延在する超音波導波管（５４）と、導波管（５４）の遠位端と一体形成され、そこから遠位に延在する超音波ブレード（５６）とを含む。トランスデューサ（５０）は、ブレード（５６）と接触して位置決めされた組織の切断及び／又は封鎖を行うための超音波周波数で、導波管（５４）及びブレード（５６）を駆動する（すなわち、振動させる）ように構成されている。本例において、超音波ブレード（５６）は、横方向曲率を有して遠位に延在している。ブレード（５６）は、ブレード（５６）の上側に配置された一次ブレード処置面（５８）と、ブレード（５６）の反対側である下側に配置された切断縁部（６０）と、を含む。一次ブレード処置面（５８）は、ブレード（５６）とクランプアーム（３８）との間に位置決めされた（例えば、クランプされた）組織を切断及び／又は封鎖するように構成され、下側縁部（６０）は、「切り返し」処置中、組織を切断するように構成されている。
【００１２】
取り外し可能な音響アセンブリ（１４）は、シャフトアセンブリ（１６）の内側シャフト管（６２）を更に含む。内側シャフト管（６２）は、導波管（５４）を収容し、トランスデューサ（５０）の遠位端から導波管（５４）の遠位端まで遠位に延在する。導波管（５４）は、音響ノードに対応する導波管（５４）の長さに沿った種々の箇所に位置決めされている複数の結節性支持要素（図示せず）により、内側シャフト管（６２）内に支持されてもよい。図５に示されるように、内側シャフト管（６２）の遠位端の上側は、コネクタ管（３６）のスナップアーム（４０）を受容することで、後述のように、内側シャフト管（６２）の外側シャフト管（３２）への連結を促進するように構成されている開口（６４）を含む。
【００１３】
整合ピン（６６）は、導波管（５４）の近位音響ノードに対応する長手方向箇所において、導波管（５４）及び内側シャフト管（６２）を通じて横方向に延在することにより、導波管（５４）及び内側シャフト管（６２）を共に軸方向に回転式に連結する。整合ピン（６６）の露出端は、内側シャフト管（６２）の遠位開口（６４）と超音波ブレード（５６）の一次ブレード処置面（５８）とに角度整合した位置において、内側シャフト管（６２）の上側から径方向外側に突出する。以下に更に詳述するように、整合ピン（６６）の露出端は、ハンドルアセンブリ（１２）の内部に配設された整合特徴部と係合することにより、外側シャフト管（３２）及びクランプアーム（３８）に対する所定の角度運動範囲に亘って、導波管（５４）、ブレード（５６）、及び内側シャフト管（６２）の回転を案内するように構成されている。
【００１４】
図５〜図７は、超音波トランスデューサ（５０）とトランスデューサハウジング（５２）とを含む、取り外し可能な音響アセンブリ（１４）の更なる詳細を示している。本例の超音波トランスデューサ（５０）は、通常、第１の共振器（又は「エンドベル」）（７０）と、円錐形状の第２の共振器（又は「フォアベル」（７２）と、エンドベル（７０）とフォアベル（７２）との間に配置され、複数の圧電素子（７４）を備える変換部と、を含む。圧縮ボルト（７６）は、エンドベル（７０）及び圧電素子（７４）を通じて遠位かつ同軸に延在し、フォアベル（７２）の近位端内にねじ込まれて受容される。速度変換機（又は「ホーン」）（７８）は、フォアベル（７２）から遠位に延在し、図７に示されるように、例えば、ねじ込み接続により、超音波導波管（５０）の近位端に連結する。電気ポスト（８０）は、エンドベル（７０）から近位に延在し、圧電素子（７４）に電気的に連結する。例示的な変形携帯では、超音波トランスデューサ（３４）は、参照により本明細書に組み込まれる参考文献に開示されるトランスデューサ構成のいずれかに従って更に構成されてもよい。
【００１５】
使用時、発生器（図示せず）が超音波トランスデューサ（５０）に電気的に連結され、超音波トランスデューサ（５０）に電力供給を行うことにより、導波管（５４）を通じて超音波ブレード（５６）まで遠位に通信される超音波機械振動を生成する。超音波ブレード（５６）は、例えば、約５０ｋＨｚの所定の振動周波数ｆｏにおいて、ピーク間が約１０〜５００マイクロメートルの範囲で、場合によっては、約２０〜２００マイクロメートルの範囲で、長手方向に発振させられる。振動している超音波ブレード（５６）は、クランプアーム（３８）によって付与されるアシストクランプ力の有無に関わらず、組織と直接接触するように位置決めされることにより、組織に超音波振動エネルギーを付与することで、その組織を切断及び／又は封鎖してもよい。
【００１６】
取り外し可能な音響アセンブリ（１４）のトランスデューサハウジング（５２）は、近位静止セクション（８２）と、近位静的セクション（８２）に対して回転可能に連結された遠位回転セクション（８４）と、を含む。遠位回転セクション（８４）は、近位静止セクション（８２）に対して、超音波トランスデューサ（５０）、導波管（５４）、及び内側シャフト管（６２）と共に回転するように構成されている。図６及び図７に示されるように、遠位回転セクション（８４）は、トランスデューサ（５０）を収容し、円筒形外側遠位本体（８６）と、外側遠位本体（８６）内部に受容され、これに対してねじ込んで連結される円筒形内側遠位本体（８８）と、外側遠位本体（８６）と内側遠位本体（８８）との間に配置される第１及び第２の環状ガスケット（９０、９２）と、を含む。
【００１７】
トランスデューサハウジング（５２）の近位静止セクション（８２）は、円筒形近位本体（９４）と、近位本体（９４）内に受容され、ファスナ（９８）により、内側遠位本体（８８）の近位端面に連結されるアダプタリング（９６）と、を含む。図７に示されるように、アダプタリング（９６）は、近位ハウジングセクション（８２）と遠位ハウジングセクション（８４）との間に相対的な回転を許容しつつ、両者を共に軸方向に連結する近位フランジを含む。環状の回転ガスケット（１００）は、アダプタリング（９６）の円筒形の遠位本体部分を取り囲むように、近位本体（９４）の遠位端面と内側遠位本体（８８）の近位端面との間に位置決めされる。回転ガスケット（１００）は、近位静止セクション（８２）に対する遠位回転セクション（８４）の回転を促進する。近位静止セクション（８２）は、近位本体（９４）とねじ込んで連結された近位端キャップ（１０２）と、近位端キャップ（１０２）の中心孔内に位置決められたプラグ（１０４）と、を更に含む。近位静止セクション（８２）は、超音波トランスデューサ（５０）の近位電気ポスト（８０）に連結し、電源（図示せず）と電気的に連結するように構成されている電気アダプタ（１０６）を収容する。
【００１８】
近位トランスデューサハウジングセクション（８２）の外面は、近位本体（９４）の下側で互いから周方向に離間して、軸方向に延在した一対の連結リブ（１０８）を含む。各連結リブ（１０８）は、図８に示されるように、器具本体（２０）の側壁に形成され、近位本体開口（３０）を介してアクセス可能なそれぞれの連結スロット（１１０）内に、摺動可能に受容されるように構成されている。各連結スロット（１１０）は、突出部（１１４）を有するそれぞれの連結タブ（１１２）により、その外側方で閉鎖され、突出部（１１４）は、それぞれの連結リブ（１０８）上に形成された切り欠き（１１６）を解除可能に係合することにより、取り外し可能な音響アセンブリ（１４）をハンドルアセンブリ（１２）に対して軸方向に固定するように構成されている。図１及び図２に最もよく示されるように、連結タブ（１１２）は、本体（２０）に連結され、ハンドルアセンブリ（１２）に対して、取り外し可能な音響アセンブリ（１４）を選択的に解除及び／又は固定するように作動可能である。当業者には、取り外し可能な音響アセンブリ（１４）をハンドルアセンブリ（１２）に対して解除可能に固定するのに好適な他の種々の機構が、容易に明らかとなるであろう。
【００１９】
種々の用途において、取り外し可能な音響アセンブリ（１４）は、事前に組み立てられた状態でユーザに提供されることにより、ユーザが超音波トランスデューサ（５０）に対して導波管（５４）を取り付け及びトルク印加を行わなくてもよいようにする。この構成は、他の場合にユーザによる導波管（５４）のトランスデューサ（５０）へのトルク印加が過少又は過多となることで生じてしまう、使用中の音響アセンブリ（１４）の機械的故障のリスクを取り除く。
【００２０】
Ｃ．シャフト整合管を有する例示的なハンドルアセンブリ
超音波外科用器具の音響アセンブリをそのハンドルアセンブリと組み立てる間、通常、クランプアームに対して回転式に整合するように超音波ブレードを配向することが望ましい。これにより、クランプアームとブレードの一次処置面との間に捕捉された組織を効果的にクランプすることを確実とし、結果として、クランプされた組織の切断及び／又は封鎖を行う。以下に記載の超音波外科用器具（１０）の特徴部により、超音波ブレード（５６）の一次処置面（５８）に対してクランプアーム（３８）を適切に回転式に整合させることを促進して、外科用器具（１０）の最適な性能を確保する。
【００２１】
図８は、取り外し可能な音響アセンブリ（１４）をハンドルアセンブリ（１２）と組み立てる間、超音波ブレード（５６）のクランプアーム（３８）に対して回転式の整合を促進するハンドルアセンブリ（１２）の更なる特徴部を示している。ハンドルアセンブリ（１２０）の本体（２０）は、シャフト整合管（１２）の形態の整合部材を収容する。図９及び図１０に最もよく示されるように、シャフト整合管（１２０）は、互いに一体形成された、近位管部分（１２２）と、中間管部分（１２４）と、遠位管部分（１２６）と、を含む。近位管部分（１２２）は、最も大きな直径を有し、間に環状溝部（１３０）を画定するように互いに軸方向に離間した一対の近位環状フランジ（１２８）及び遠位環状フランジ（１２９）を有する。中間管部分（１２４）は、最も小さな直径を有し、遠位管部分（１２６）は、中間の直径を有し、直径方向に対向する位置に配置された一対の軸方向に延在するリブ（１３２）を含む。中央通路（１３４）は、以下に更に詳述するように、シャフト整合管（１２０）を通じて軸方向に延在し、導波管（５４）及び内側シャフト管（６２）を摺動可能に受容するように構成されている。
【００２２】
図８に示されるように、シャフト整合管（１２０）は、外側シャフト管（３２）及び回転ノブ（３４）と同軸に整合されて、本体（２０）の遠位部分内に支持される。近位管部分（１２２）の環状フランジ（１２８、１２９）は、環状フランジ（１２８、１２９）の最外面間の軸方向距離よりも大きな軸方向長さを有する本体ポケット（１３６）内に保持されることにより、シャフト整合管（１２０）が本体（２０）及び回転ノブ（３４）に対して所定の軸方向距離、並進することを許容する。図８に示されるように、遠位管部分（１２６）は、回転ノブ（３４）の中心孔内に摺動可能に受容され、軸方向リブ（１３２）は、回転ノブ（３４）の内面に形成されたそれぞれの軸方向溝部内に摺動可能に受容される。この構成は、シャフト整合管（１２０）を回転ノブ（３４）に対して回転可能に連結することで、シャフト整合管（１２０）及び回転ノブ（３４）が、本体（２０）に対して共に回転するように構成されるようにする。遠位管部分（１２６）は、上述の所定の軸方向距離、回転ノブ（３４）を通じて、近位及び遠位に並進することが許容される。
【００２３】
図８及び図１０に最もよく示されるように、シャフト整合管（１２０）は、中央通路（１３４）を介して連通する、近位管開口（１３８）と、遠位管開口（１４０）と、を含む。シャフト整合管（１２０）は、本体（２０）内に支持されることにより、近位管開口（１３８）が、本体（２０）の遠位にテーパ形状を有する円錐状壁部（１４４）に形成された内壁開口（１４２）を通じて、近位本体開口（３０）に開口するようにする。遠位管開口（１４０）は、外側シャフト管（３２）をシャフト整合管（１２０）に対して軸方向に回転式に固定するように、外側シャフト管（３２）の近位端を受容するように構成されている。
【００２４】
図８に示されるように、ハンドルアセンブリ（１２）は、トリガ（２８）、リンク（１５２）、並進部材（１５４）、及びシャフト整合管（１２０）を備えるクランプ作動アセンブリ（１５０）を収容する。トリガ（２８）は、枢動接合部（１５６）の周りに本体（２０）に枢動可能に連結され、リンク（１５２）の遠位端に枢動可能に連結される。リンク（１５２）の近位端は、並進部材（１５４）の近位端に枢動可能に連結される。並進部材（１５４）は、本体（２０）内に摺動可能に配設され、その遠位端において、上方に延在する突出部（１５８）を含む。上方に延在する突出部（１５８）は、シャフト整合管（１２０）の近位管部分（１２２）の環状溝部（１３０）内に受容されることにより、シャフト整合管（１２０）が並進部材（１５４）に対して回転することを許容しつつも、シャフト整合管（１２０）及び並進部材（１５４）を軸方向に連結する。
【００２５】
使用時、トリガ（２８）をピストルグリップ（２２）に向かって枢動させることにより、リンク（１５２）及び並進部材（１５４）を近位に駆動し、次いで、近位フランジ（１２８）が本体ポケット（１３６）の近位壁部に当接するまで、シャフト整合管（１２０）を近位に駆動する。シャフト整合管（１２０）の近位への並進により、コネクタ管（３６）及び内側シャフト管（６２）に対する外側シャフト管（３２）の近位への並進を駆動することで、クランプアーム（３８）を超音波ブレード（５６）に向かって枢動させる。トリガ（２８）をピストルグリップ（２２）から離間して枢動させることにより、リンク（１５２）、並進部材（１５４）、整合管（１２０）、及び外側シャフト管（３２）を遠位に駆動し、これによって、クランプアーム（３８）を超音波ブレード（５６）から離間して枢動させる。本例において、圧縮ばね（１６０）は、並進部材（１５４）を遠位に付勢することにより、クランプアーム（３８）をその開放位置に向かって付勢するように、並進部材（１５４）の近位端と本体（２０）の内面との間に配置される。他の例において、作動アセンブリ（１５０）は、例えば、以下に記載のばねスタック（２６６）と同様のばねスタックなど、クランプアーム（３８）を用いて組織に付与可能な最大クランプ力を制限するように構成された力制限特徴部を更に含んでもよい。
【００２６】
図９及び図１０に最もよく示されるように、シャフト整合管（１２０）は、整合スロット（１７０）を更に含む。整合スロット（１７０）は、取り外し可能な音響アセンブリ（１４）が近位方向から遠位方向にハンドルアセンブリ（１２）と連結されるとき、取り外し可能な音響アセンブリ（１４）の整合ピン（６６）を受容及び案内するように構成されている。このようにして、以下に更に詳述するように、整合スロット（１７０）は、整合ピン（６６）が整合スロット（１７０）を通じて遠位に進行するにつれて、シャフト整合管（１２０）及び外側シャフト管（３２）に対して、導波管（５４）及び内側シャフト管（６２）の回転向きを規定する。他の変形形態では、整合スロット（１７０）が取り外し可能な音響アセンブリ（１４）の埋め込まれる一方で、整合ピン（６６）と機能的に同様の突出部がハンドルアセンブリ（１２）の内側に埋め込まれてもよいことが理解されるであろう。
【００２７】
整合スロット（１７０）は、シャフト整合管（１２０）の側壁に沿って、近位管部分（１２２）及び中間管部分（１２４）を通じて遠位に延在する第１のカム面（１７２、）及び第２のカム面（１７４）によって規定される。整合スロット（１７０）は、近位管開口（１３８）に開放する近位角度スロット部分（１７６）と、近位角度スロット部分（１７６）から遠位に延在する近位軸方向スロット部分（１７８）と、近位軸方向スロット部分（１７８）から遠位に延在する遠位角度スロット部分（１８０）と、遠位角度スロット部分（１８０）から遠位に延在する遠位軸方向スロット部分（１８２）と、を含む。本明細書中、角度スロット部分（１７６、１８０）との関連で使用される用語「角度（angular）」は、シャフト整合管（１２０）の中心軸と平行でないことを意味する。例えば、図９に示されるように、角度スロット部分（１７６、１７８）は、各々、遠位にも進行しつつ、シャフト整合管（１２０）の中心軸の周りに周方向に延在する。対照的に、軸方向スロット部分（１７８、１８２）は、各々、シャフト整合管（１２０）の中心軸と平行に、軸方向に延在する。したがって、以下に更に詳述されるように、角度スロット部分（１７６、１７８）は、各々、外側シャフト管（３２）及びシャフト整合管（１２０）に対する導波管（５４）及び内側シャフト管（６２）の同時回転及び並進を規定するように構成されている。対照的に、軸方向スロット部分（１７８、１８２）は、各々、外側シャフト管（３２）及びシャフト整合管（１２０）に対する導波管（５４）及び内側シャフト管（６２）の並進のみを規定するように構成されている。
【００２８】
図９に示されるように、第１のカム面（１７２）及び第２のカム面（１７４）の近位端は、近位管開口（１３８）において、シャフト整合管（１２０）の第１側方の内側で互いに隣接する。カム面（１７２、１７４）が遠位に延在して近位角度スロット部分（１７６）を規定するに連れて、第１のカム面（１７２）は、反時計回り方向に管内部に沿って周方向に進行し、第２のカム面（１７４）は、時計回り方向に管内部に沿って周方向に進行する。カム面（１７２、１７４）は、シャフト整合管（１２０）の対向する第２の側方に達した後、共に軸方向に延在して、近位軸方向スロット部分（１７８）を画定する。カム面は共に、近位軸方向スロット部分（１７８）から、中間管部分（１２４）の上側に配置された遠位軸方向スロット部分（１８２）に向かって、遠位に反時計回りに延在する。本例において、近位軸スロット部分（１７８）は、約１８０度、カム面（１７２、１７４）の近位端から角度オフセットされている。更に、遠位軸方向スロット部分（１８２）は、約９０度、近位軸方向スロット部分（１７８）から角度オフセットされている。
【００２９】
Ｄ．取り外し可能な音響アセンブリのハンドルアセンブリとの嵌合
図１１〜図１５Ｂは、取り外し可能な音響アセンブリ（１４）をハンドルアセンブリ（１２）に嵌合し、外側シャフト管（３２）を内側シャフト管（６２）に対して回転可能に連結する、例示的なプロセスを示している。後述するように、取り外し可能な音響アセンブリ（１４）及びハンドルアセンブリ（１２）の整合特徴部により、取り外し可能な音響アセンブリ（１４）がハンドルアセンブリ（１２）と完全に連結されたとき、クランプアーム（３８）及び超音波ブレード（５６）の一次ブレード処置面（５８）が、確実に互いに回転式の整合となるように配向されるようにする。
【００３０】
図２、図１１、及び図１２Ａに示されるように、取り外し可能な音響アセンブリ（１４）の遠位端は、超音波ブレード（５６）及び内側シャフト管（６２）の遠位端によって規定されるが、内壁開口（１４２）及び近位管開口（１３８）を介して、ハンドルアセンブリ（１２）の近位本体開口（３０）を通じてシャフト整合管（１２０）の中央通路（１３４）内に向かって、遠位に方向付けられる。本体（２０）のテーパ状の円錐状壁部（１４４）は、超音波ブレード（５６）を中央通路（１３４）内に方向付けるように構成されている。取り外し可能な音響アセンブリ（１４）がハンドルアセンブリ（１２）に対して遠位に前進させられると、超音波ブレード（５６）及び内側シャフト管（６２）の遠位端は、シャフト整合管（１２０）を完全に通過して外側シャフト管（３２）に入り、外側シャフト管（３２）と、取り外し可能な音響アセンブリ（１４）の構成要素とが、同軸に配置されるようにする。
【００３１】
図１２Ａに示されるように、取り外し可能な音響アセンブリ（１４）が連続的に遠位に前進することにより、シャフト整合管（１２０）の近位管開口（１３８）を通じて整合ピン（６６）を方向付ける。導波管（５４）及び内側シャフト管（６２）が回転式に配向されて、整合ピン（６６）と、整合スロット（１７０）の近位軸方向スロット部分（１７８）との間に任意の程度の回転オフセットが生じた場合、整合ピン（６６）は、カム面（１７２、１７４）のうちの一方と接触することになる。図示の例において、導波管（５４）及び内側シャフト管（６２）は、図１２Ｂに示されるように配向され、図１２Ａに示されるように、整合ピン（６６）が上方に延在して第１のカム面（１７２）と対峙するようにする。
【００３２】
図１３Ａに示されるように、音響アセンブリ（１４）は、ハンドルアセンブリ（１２）内へと更に遠位に押し込まれることにより、第１のカム面（１７２）が整合ピン（６６）に接触し、これを反時計回りに近位軸方向スロット部分（１７８）に向かって方向付けるようにする。図１３Ｂに示されるように、このカム動作により、導波管（５４）及び内側シャフト管（６２）を反時計回りに約９０度回転させることにより、図１３Ｂに示されるように、超音波ブレード（５６）の一次ブレード処置面（５８）がクランプアーム（３８）と概直交して配向されるようにする。整合ピン（６６）が近位軸スロット部分（１７８）を通じて遠位に連続すると、超音波ブレード（５６）は、他の場合にブレード（５６）の横方向曲率によって生じる干渉を伴うことなく、外側シャフト管（３２）及びコネクタ管（３６）の遠位端を通じて自在に通過する。
【００３３】
上述のように、本例において、導波管（５４）及び内側シャフト管（６２）は、整合ピン（６６）の露出部分が概上方に延在する開始時の回転向きにおいて、シャフト整合管（１２０）内へと挿入され、ピン（６６）が第１のカム面（１７２）に接触し、これに沿って反時計回りに遠位に進行するようにする。他の例において、導波管（５４）及び内側シャフト管（６２）は、整合ピン（６６）の露出部分が概下方に延在して、ピン（６６）が第２のカム面（１７４）に接触し、これに沿って時計回り方向に遠位に進行するような、開始時の回転向きで提供されてもよい。したがって、第１のカム面（１７２）及び第２のカム面（１７４）が、整合ピン（６６）に接触して、これを近位軸方向スロット（１７８）と整合するように遠位かつ周方向に方向付けるように構成されることで、整合ピン（６６）と近位軸方向スロット部分（１７８）との間の任意の程度の回転オフセットを踏まえて、一次ブレード処置面（５８）がクランプアーム（３８）に対して直交して配向されるようにすることが好都合である。
【００３４】
図１４Ａに示されるように、音響アセンブリ（１４）は、ハンドルアセンブリ（１２）内へと更に遠位に押し込まれることにより、整合ピン（６６）が遠位角度スロット部分（１８０）を通じて遠位軸方向スロット部分（１８２）に向かって遠位に通過するようにする。図１４Ｂに示されるように、このステップにより、導波管（５４）及び内側シャフト管（６２）を遠位に前進させ、時計回りに約９０度同時回転させることにより、一次ブレード処置面（５８）が回転式に整合に配向されることで、クランプアーム（３８）に対峙するようにする。これにより、図１４Ａに示されるように、取り外し可能な音響アセンブリ（１４）は、ハンドルアセンブリ（１２）内に完全に据えられることで、近位トランスデューサハウジングセクション（８２）の連結リブ（１０８）が連結スロット（１１０）内に完全に受容されるようにする。この状態において、リブ切り欠き（１１６）は、連結タブ（１１２）のタブ突出部（１１４）と係止して係合することにより、ハンドルアセンブリ（１２）に対して軸方向に取り外し可能な音響アセンブリ（１４）を固定する。しかしながら、図１４Ｂに示されるように、超音波ブレード（５６）の遠位先端は、クランプアーム（３８）の遠位先端から近位に離間したままとなる。
【００３５】
図１５Ａに示されるように、超音波ブレード（５６）及びクランプアーム（３８）の遠位先端を軸方向に整合させるために、トリガ（２８）は、ピストルグリップ（２２）に向かって圧搾され、整合ピン（６６）が遠位軸方向スロット部分（１８２）の遠位端に当接するまで、シャフト整合管（１２０）を近位に引っ張る。この運動により、内側シャフト管（６２）に対して近位に外側シャフト管（３２）及びコネクタ管（３６）を引っ張ることで、図１５Ｂに示されるように、コネクタ管（３６）のスナップアーム（４０）が内側シャフト管（６２）の遠位開口（６４）内にスナップするようにする。このスナップ嵌合による係合で、内側シャフト管（６２）に対して軸方向に回転式にコネクタ管（３６）を連結する。結果として、この係合によっても、コネクタ管（３６）及びクランプアーム（３８）のクレビスアーム（４６）を介して、内側シャフト管（６２）の遠位端を外側シャフト管（３２）の遠位端に対して回転式に連結する。コネクタ管（３６）は更に、図４に示されるように、コネクタ管タブ（４１）を介して、内側シャフト管（６２）の遠位端に対して近位に拘束される。
【００３６】
内側シャフト管（３２）及び外側シャフト管（６２）は、上述のように、外側シャフト管（３２）に対して回転可能に連結された、シャフト整合管（１２０）の遠位軸方向スロット部分（１８２）の側方への整合ピン（６６）の係合により、その近位端において共に回転式に連結されることが理解されるであろう。したがって、回転ノブ（３４）に付与される回転入力は、外側シャフト管（３２）、内側シャフト管（６２）、導波管（５４）、シャフト整合管（１２０）、超音波トランスデューサ（５０）、及び遠位トランスデューサハウジングセクション（８４）を含む、器具（１０）の回転可能な構成要素全てに伝達される。
【００３７】
上述のように、コネクタ管（３６）の内側シャフト管（６２）への機械的接地により、外側シャフト管（３２）がコネクタ管（３６）に対して軸方向に作動されるようにし、これによって、クランプアーム（３８）を、一次ブレード処置面（５８）に対して回転式に整合させたままとする一方で、クランプアーム（３８）を、超音波ブレード（５６）に対して開放位置と閉鎖位置との間で枢動させることができる。特に、外側シャフト管（４２）がピストルグリップ（２２）に向かってトリガ（２８）を圧搾することによって近位に作動されると、コネクタ管（３６）は、スナップアーム（４０）及びタブ（４１）を介して、本体（２０）に対して軸方向に固定された内側シャフト管（６２）との接続により、軸方向に固定されたままとなる。したがって、クランプアーム（３８）は、一次ブレード処置面（５８）に対して、開放位置から閉鎖位置まで、ピン（４８）の周りを枢動する。トリガ（２８）が解除され、ピストルグリップ（２２）から離間して移動するとき、外側シャフト管（３２）は、コネクタ管（３６）に対して遠位に作動することにより、クランプアーム（３８）を開放位置まで枢動する。
【００３８】
外科処置が完了すると、取り外し可能な音響アセンブリ（１４）は、連結タブ（１１２）を押下することで、タブ突出部（１１４）を近位トランスデューサハウジングセクション（８２）の連結リブ（１０８）から係合解除することにより、ハンドルアセンブリ（１２）から分離されてもよい。同時に、コネクタ管スナップアーム（４０）は、内側シャフト管（６２）の遠位開口（６４）から係合解除され、取り外し可能な音響アセンブリ（１４）が近位に引っ張られる。音響アセンブリ（１４）がハンドルアセンブリ（１２）から近位に引っ張られると、整合ピン（６６）は、整合スロット（１７０）を通じて近位に進行することにより、超音波ブレード（５６）を上述と反対の方向に回転させて、ブレード（５６）が外側シャフト管（３２）を通じて後方に自在に通過できるようにする。
【００３９】
ＩＩ．取り外し可能なクランプアセンブリを有する例示的な超音波外科用器具
Ａ．超音波外科用器具の概要
図１６及び図１７は、上述の器具（１０）と同様の他の例示的な超音波外科用器具（２００）を示しており、図中、器具（２００）は、クランプアーム（２４４）が器具（２００）の超音波ブレード（２２６）に対して適切に回転可能かつ軸方向の整合を確実にする整合特徴部の配置を有している。更に、以下に更に詳述するように、器具（２００）の整合特徴部により、回転可能かつ軸方向の整合が完全に達成されるまで、クランプアーム（２４４）が超音波ブレード（２２６）に対して作動することを妨げることにより、効果的なクランピングが確実に行われるようにし、結果として、クランプアーム（２４４）と超音波ブレード（２２６）との間に捕捉された組織の処置が行われるようにする。
【００４０】
超音波外科用器具（２００）は、ハンドルアセンブリ（２０２）と、ハンドルアセンブリ（２０２）に連結された音響アセンブリ（２０４）と、ハンドルアセンブリ（２０２）に対して選択的に連結及び連結解除されるように構成されている、取り外し可能なクランプアセンブリ（２０６）と、を含む。図１６に示される組立状態において、外科用器具（２００）は、ハンドルアセンブリ（２０２）から遠位に延在するシャフトアセンブリ（２０８）と、シャフトアセンブリ（２０８）の遠位端に配置されたエンドエフェクタ（２１０）とを表している。ハンドルアセンブリ（２０２）が、ピストルグリップ（２１４）と、外科用器具（２００）によって送達される超音波エネルギーの種々の態様を制御するために、外科医によって操作されるように構成されている、エネルギー制御ボタン（１２６、２１８）と、を含む本体（２１２）を備える点において、ハンドルアセンブリ（２０２）は、ハンドルアセンブリ（１２）と同様である。トリガ（２２０）は、本体（２１２）の下方部分に向かって枢動可能に連結され、エンドエフェクタ（２１０）を選択的に作動するように、ピストルグリップ（２１４）に対して接近及び離間するように枢動可能である。
【００４１】
音響アセンブリ（２０４）は、ハンドルアセンブリ（２０２）と連結された様子が示されており、脱着可能な超音波トランスデューサ（２２２）（又は「ハンドピース」）、トランスデューサ（２２２）の遠位端に音響的に連結され、そこから遠位に延在する超音波導波管（２２４）と、導波管（２２４）の遠位端と一体形成され、そこから遠位に延在する超音波ブレード（２２６）と、を含む。トランスデューサ（２２２）は、上述のトランスデューサ（５０）と同様の構成要素を含んでもよく、トランスデューサ（２２２）は、ブレード（２２６）と接触して位置決めされた組織の切断及び／又は封鎖を行うための超音波周波数で、導波管（２２４）及びブレード（２２６）を駆動する（すなわち、振動させる）ように構成されている。超音波ブレード（５６）と同様に、超音波ブレード（２２６）は、横方向に曲率を有して遠位に延在し、図２３Ｂ及び図２４Ｂにも見られるように、ブレード（２２６）の上側に配置された一次ブレード処置面（２２８）と、ブレード（２２６）の反対側である下側に配置された下方切断縁部（２３０）と、を含む。トランスデューサ（２２２）は、例えば、ねじ込みによる係合などにより、導波管（２２４）の近位端に対して解除可能に連結され、本体（２１２）によって解放可能に支持されることにより、トランスデューサ（２２２）が、所望に応じて、導波管（２２４）及び本体（２１２）から分離され得るようにする。
【００４２】
図１７に示されるように、シャフトアセンブリ（２０８）の内側シャフト管（２３２）は、ハンドルアセンブリ（２０２）から遠位に延在し、導波管（２２４）を収容する。導波管（２２４）は、音響ノードに対応する導波管（２２４）の長さに沿った種々の箇所に位置決めされている複数の結節性支持要素（図示せず）によって、内側シャフト管（２３２）内に支持されてもよい。内側シャフト管（２３２）の遠位端の上側には、後述のように、取り外し可能なクランプアセンブリ（２０６）の外側シャフト管（２４０）との内側シャフト管（２３２）の連結を促進するように構成されている開口（２３４）が含まれる。内側シャフト管（２３２）及び導波管（２２４）は、軸方向に固定され、回転ノブ（２３６）によってハンドルアセンブリ（２０２）に対して回転可能となる。
【００４３】
図１７〜図１９に示されるように、取り外し可能なクランプアセンブリ（２０６）は、シャフトアセンブリ（２０８）の外側シャフト管（２４０）と、外側シャフト管（２４０）の遠位端に連結される遠位コネクタ管（２４２）及びクランプアーム（２４４）と、外側シャフト管（２４０）の近位端に連結された整合プラグ（２４６）と、を備える。コネクタ管（２４２）は、スナップアーム（２４８）と、内側に延在するタブ（２４９）と、を含み、構造及び機能の点で、上述のコネクタ管（３６）と概ね同様である。クランプアーム（２４４）は、クランプパッド（２５０）を含み、構造及び機能の点で、上述のクランプアーム（３８）と概ね同様である。器具（２００）が、図１６に示されるように、組み立て済みの動作可能状態であるとき、外側シャフト管（２４０）は、内側シャフト管（２３２）及びコネクタ管（２４２）に対して近位及び遠位に並進することにより、器具（１０）について上述したのと同様に、超音波ブレード（２２６）に対してクランプアーム（２４４）を作動するように構成されている。
【００４４】
Ｂ．超音波外科用器具のクランプ作動アセンブリ
図２０及び図２１は、クランプアーム（２４４）の作動を促進するハンドルアセンブリ（２０２）の特徴部を含む、組み立て済みの動作可能状態にある超音波外科用器具（２００）の更なる詳細を示している。図２０に示されるように、超音波トランスデューサ（２２２）の遠位端は、本体（２１２）に連結された支持カラー（２６０）によって支持される。トランスデューサ（２２２）の遠位端（又は「ホーン」）（２６２）は、環状の支持カラー（２６０）を通じて、シャフト整合管（２６４）の近位端内に向かって遠位に延在し、ここでトランスデューサホーン（２６２）は、導波管（２２４）の近位端にねじ込んで連結する。シャフト整合管（２６４）の近位部分は、隣接波ばねの線形アレイを備えたばねスタック（２６６）によって取り囲まれている。ばねスタック（２６６）は、シャフト整合管（２６４）にねじ込んで連結された調節可能な保持ナット（２６８）によって近位端に保持され、かつ、シャフト整合管（２６４）の中間フランジ（２７２）に当接した並進リング（２７０）によって遠位端に保持される。
【００４５】
中間フランジ（２７２）から遠位に延在するシャフト整合管（２６４）の遠位部分は、外側案内管（２７４）内に受容される。外側案内管（２７４）は、外側案内管（２７４）の周りに周方向に延在する一対のクリップ（２７６）により、回転ノブ（２３６）に対して軸方向に回転式に連結される。外側案内管（２７４）は、シャフト整合管（２６４）、内側シャフト管（２３２）、及び導波管（２２４）を通じて横方向に延在する連結ピン（２７８）により、これらの構成要素に対して回転可能に連結される。シャフト整合管（２６４）の近位部分は、一対の軸方向に延在したピンスロット（２８０）を含み、これらを通じて連結ピン（２７８）が延在する。ピンスロット（２８０）により、シャフト整合管（２６４）が、外側案内管（２７４）、内側シャフト管（２３２）、及び導波管（２２４）に対して、近位及び遠位に並進することを許容する。以下に更に詳述するように、シャフト整合管（２６４）の近位部分は、整合プラグ（２４６）と相互係止することにより、シャフト整合管（２６４）、整合プラグ（２４６）、及び外側シャフト管（２４０）がハンドルアセンブリ本体（２１２）に対して近位及び遠位に並進してクランプアーム（２４４）を作動し得るように構成された特徴部を更に備える。
【００４６】
図２０に示されるように、トリガ（２２０）は、リンク（２８２）に対して枢動可能に連結され、次いで、並進リング（２７０）の遠位面と係合してクランプ作動アセンブリを画定する遠位ヨーク（２８６）を有する並進部材（２８４）に枢動可能に連結される。トリガ（２２０）がピストルグリップ（２１４）に向かって圧搾されるとき、ヨーク（２８６）は、ばねスタック（２６６）に対して近位に並進リング（２７０）を駆動する。ばねスタック（２６６）は、所定の力閾値までの圧縮に耐えることにより、保持ナット（２６８）を介してシャフト整合管（２６４）に近位運動が伝達され、次いで、整合プラグ（２４６）及び外側シャフト管（２４０）に近位運動が伝達されるように構成される。上述のように、内側シャフト管（２３２）に対する外側シャフト管（２４０）の近位への並進により、クランプアーム（２４４）が超音波ブレード（２２６）に向かって枢動し、両者間に組織をクランプするようにする。
【００４７】
ばねスタック（２６６）は、クランプアーム（２４４）によって及ぼされる最大のクランプ力を制限するように構成されている。特に、ヨーク（２８６）によってばねスタック（２６６）に及ぼされる近位に方向付けられた力が上述の所定の力閾値を超えるとき、例えば、クランプアーム（２４４）が超音波ブレード（２２６）に向かって更に枢動することに対する実質的な抵抗に晒されるとき、ばねスタック（２６６）は、圧縮することで、近位に方向付けられた力が外側シャフト管（２４０）及びクランプアーム（２４４）に伝達されることを制限する。より具体的には、力閾値に達したとき、保持ナット（２６８）及びシャフト整合管（２６４）がハンドルアセンブリ本体（２１２）に対して静止して維持される一方で、ばねスタック（２６６）は、保持ナット（２６８）に対して近位に圧縮する。したがって、力閾値に達したとき、トリガ（２２０）は、ピストルグリップ（２１４）に向かって前進を続けるものの、クランプアーム（２４４）は、超音波ブレード（２２６）に向かって更に枢動移動することを止める。保持ナット（２６８）は、シャフト整合管（２６４）とのねじ込み係合状態を増減させるように選択的に回転されることにより、力閾値を調節するようにしてもよい。例えば、ナット（２６８）は、シャフト整合管（２６４）と更にねじ込み係合するように回転され、所望のプリロード量によって並進リング（２７０）及びヨーク（２８６）に対してばねスタック（２６６）を圧縮することにより、力閾値を増加させるようにしてもよい。
【００４８】
Ｃ．超音波外科用器具のシャフト整合特徴部
図２２Ａから図２４Ｂは、ハンドルアセンブリ（２０２）のシャフト整合管（２６４）及び外側案内管（２７４）の更なる特徴部と、取り外し可能なクランプアセンブリ（２０６）の整合プラグ（２４６）と、を示している。後述のように、これらの構成要素の特徴部により、取り外し可能なクランプアセンブリ（２０６）がハンドルアセンブリ（２０２）に連結されるとき、超音波ブレード（２２６）の一次ブレード処置面（２２８）とクランプアーム（２４４）が適正に整合されることを促進する。
【００４９】
図２２Ａ及び図２２Ｂは、ハンドルアセンブリ（２０２）に連結された内側シャフト管（２３２）に亘って近位に、取り外し可能なクランプアセンブリ（２０６）の整合プラグ（２４６）を通過させることと、続いて、外側案内管（２７４）及びハンドルアセンブリ（２０２）のシャフト整合管（２６４）内にシャフト整合管（２６４）を近位に挿入することと、を示している。図２２Ａに示されるように、整合プラグ（２４６）は、概円筒形の近位本体部分（３００）と、より大きな直径を有する、概円筒形の遠位本体部分（３０２）と、を有する。一対の対向するタブ状フィン（３０４）は、遠位プラグ本体部分（３０２）の遠位端に配置され、キー突出部（３０６）は、フィン（３０４）と同一面において、遠位プラグ本体部分（３０２）の近位端に配置される。一対の対向する係止突出部（３０８）は、遠位プラグ本体部分（３０２）の近位面に沿って、近位プラグ本体部分（３００）の遠位端から径方向に延在し、一対の対向するラグ（３１０）は、ラグ（３１０）と同一面の近位プラグ本体部分（３００）の近位端に配置される。本例において、ラグ（３１０）及び係止突出部（３０８）が形成される面は、フィン（３０４）及びキー突出部（３０６）が形成される面から９０度、角度オフセットされる。後述のように、この構成により、整合プラグ（２４６）が、非係止位置と係止位置との間で、外側案内管（２７４）及びシャフト整合管（２６４）に対して、時計回りに９０度、回転するようにすることができる。
【００５０】
図２２Ａに示されるように、外側案内管（２７４）は、一対の対向するフィンスロット（３１２）及びキーウェイ（３１４）が形成される遠位端を有した、概円筒形の本体を含む。フィンスロット（３１２）及びキーウェイ（３１４）は、各々、近位に延在し、本例においては、互いに９０度、角度オフセットされる。図２２Ｂに示されるように、キーウェイ（３１４）は、整合プラグ（２４６）が外側案内管（２７４）内に近位に挿入されるとき、キー突出部（３０６）を受容することにより、後述の図２３Ａに示されるように、整合プラグ（２４６）をシャフト整合管（２６４）に対して非係止位置に配向するように構成されている。この非係止位置において、フィン（３０４）の遠位面は、外側案内管（２７４）の近位面に当接することにより、外側案内管（２７４）及びシャフト整合管（２６４）に対する整合プラグ（２４６）及び外側シャフト管（２４０）の近位への更なる前進を制限して、クランプアーム閉鎖特徴部を提供する。
【００５１】
図２３Ａは、図中、外側案内管（２７４）を省略して、非係止位置にあるシャフト整合管（２６４）と係合した整合プラグ（２４６）を示している。この位置において、キー突出部（３０６）は、シャフト整合管（２６４）の遠位端に当接し、ラグ（３１０）は、それぞれの軸方向ラグスロット（３１６）内に受容され、シャフト整合管（２６４）の遠位部分に形成されたそれぞれの周方向ラグスロット（３１８）の入口端部と整合して位置決めされる。図２３Ａに示されるように、シャフト整合管（２６４）に対して非係止位置にある整合プラグ（２４６）により、外側シャフト管（２４０）及びクランプアーム（２４４）は、図２３Ｂに示されるように、内側シャフト管（２３２）、導波管（２２４）、及び超音波ブレード（２２６）から回転式にオフセットされる。具体的には、クランプアーム（２４４）は、クランプパッド（２５０）が、超音波ブレード（２２６）の一次ブレード処置面（２２８）に対して概直交して延在するように、配向される。この向きにおいて、内側シャフト管（２３２）の遠位開口（２３４）は、遠位コネクタ管（２４２）のスナップアーム（２４８）から回転式にオフセットされる。
【００５２】
図２４Ａに示されるように、クランプアセンブリ（２０６）は、シャフト整合管（２６４）に対して時計回りに９０度回転し、整合プラグ（２４６）を係止位置まで移行させる。係止位置において、整合プラグ（２４６）のラグ（３１０）は、バヨネット式接続で、シャフト整合管（２６４）の周方向ラグスロット（３１８）内に完全に受容され、整合プラグ（２４６）の係止突出部（３０８）は、シャフト整合管（２６４）の遠位面に形成されたそれぞれの切り欠き（３２０）内に受容される。結果として、これにより、整合プラグ（２４６）は、シャフト整合管（２６４）に対して軸方向に回転式に固定される。図２４Ｂに示されるように、整合プラグ（２４６）をその係止位置まで回転させることにより、導波管（２２４）及び内側シャフト管（２３２）の周りで、外側シャフト管（２４０）及びクランプアーム（２４４）を回転させて、クランプアーム（２４４）が超音波ブレード（２２６）の一次ブレード処置面（２２８）と回転式に整合されるように位置決められるようにする。更に、コネクタ管（２４２）のスナップアーム（２４８）は、内側シャフト管（２３２）の遠位開口（２３４）と整合するように回転され、これと係止して係合するようにすることで、コネクタ管（２４２）をシャフト管（２３２）内へ軸方向に回転式に固定する。
【００５３】
図２５Ａ及び図２５Ｂは、上述のように、整合プラグ（２４６）がシャフト整合管（２６４）に対してその係止位置に回転された後の、超音波外科用器具（２００）の正面斜視図を示している。係止位置において、整合プラグ（２４６）のフィン（３０４）は、外側案内管（２７４）のフィンスロット（３１２）と整合する。したがって、整合プラグ（２４６）及び外側シャフト管（２４０）は、トリガ（２２０）がピストルグリップ（２１４）に向かって圧搾されるとき、外側案内管（２７４）に対してシャフト整合管（２６４）に対して近位に並進し、クランプアーム（２４４）を超音波ブレード（２２６）に対して作動することを許容される。図２５Ｂに示されるように、フィンスロット（３１２）は、外側シャフト管（２４０）がクランプアーム（２４４）の完全閉鎖に十分となるように、近位に並進可能となる十分な近位深さを備えて形成される。
【００５４】
外科処置の完了後、取り外し可能なクランプアセンブリ（２０６）は、上述のステップを逆に行うことにより、ハンドルアセンブリ（２０２）から分離されてもよい。具体的には、整合プラグ（２４６）は、シャフト整合管（２６４）及び外側案内管（２７４）に対して反時計回りに９０度回転されることにより、ラグ（３１０）が周方向ラグスロット（３１８）を係合解除されるようにする。その後、取り外し可能なクランプアセンブリ（２０６）は、超音波ブレード（２２６）がクランプアセンブリ（２０６）から自由になるまで、外側案内管（２７４）から遠位に、かつ、内側シャフト管（２３２）に沿って、引っ張られてもよい。
【００５５】
Ｄ．代替的なシャフト整合プラグ及び外側案内管
図２６及び図２７は、ハンドルアセンブリ（２０２）と共に使用されるように構成されている、他の例示的なシャフト整合プラグ（３３０）と、対応する外側案内管（３３２）と、を示している。シャフト整合プラグ（３３０）及び外側案内管（３３２）は、記載のない限り、整合プラグ（２４６）及び外側案内管（２７４）と概ね同様である。特に、シャフト整合プラグ（３３０）は、概円筒形の本体と、本体の遠位端から径方向外側に延在した、一対の対向するフランジ（３３４）と、を有する。各フランジ（３３４）は、外側シャフト管（２４０）の長手軸の横方向に概平面的であり、概半円の形状を有する。
【００５６】
図２７に示されるように、外側案内管（３３２）は、外側案内管（３３２）の遠位端において近位かつ周方向に延在する、一対のフランジ凹部（３３６）を含む。凹部（３３６）は、シャフト整合プラグ（３３０）が、フランジ（３３４）を凹部（３３６）と回転式に整合するように位置決めするように、シャフト整合管（２６４）に対して係止位置に配向されるとき、フランジ（３３４）を受容するように構成されている。したがって、フランジ（３３４）及び凹部（３３６）は、協働して、上述のフィン（３０４）及びフィンスロット（３１２）と同様のクランプアーム閉鎖特徴部を提供し、これらが互いに対して回転式に整合されるように位置決めされるまで、クランプアーム（２４４）が超音波ブレード（２２６）に対して確実に作動不能となるようにする。シャフト整合プラグ（３３０）は、フランジ（３３４）から遠位に突出したフィン（３３８）を介して、非係止位置と係止位置との間で、外側案内管（３３２）及びシャフト整合管（２６４）に対して回転されてもよい。
【００５７】
本明細書の教示は、超音波外科用器具との関連で開示したが、これらは、超音波及び高周波（ＲＦ）エネルギーの組み合わせを提供するように構成されている外科用器具との関連でも採用されてよいことが理解されるであろう。かかる器具並びに関連する方法及び概念の例は、その開示が参照により本願に組み込まれる、２０１４年３月４日に発行された米国特許第８，６６３，２２０号、名称「Ｕｌｔｒａｓｏｎｉｃ  Ｓｕｒｇｉｃａｌ  Ｉｎｓｔｒｕｍｅｎｔｓ」、その開示が参照により本明細書に組み込まれる、２０１５年５月２１日公開の「Ｕｌｔｒａｓｏｎｉｃ  Ｓｕｒｇｉｃａｌ  Ｉｎｓｔｒｕｍｅｎｔ  ｗｉｔｈ  Ｅｌｅｃｔｒｏｓｕｒｇｉｃａｌ  Ｆｅａｔｕｒｅ」と題された米国特許出願公開第２０１５／０１４１９８１号、及びその開示が参照により本明細書に組み込まれる、２０１７年１月５日公開の、「Ｓｕｒｇｉｃａｌ  Ｉｎｓｔｒｕｍｅｎｔ  ｗｉｔｈ  Ｕｓｅｒ  Ａｄａｐｔａｂｌｅ  Ｔｅｃｈｎｉｑｕｅｓ」と題された米国特許出願公開第２０１７／００００５４１号に開示されている。
【００５８】
ＩＩＩ．例示的な組み合わせ
以下の実施例は、本明細書の教示を組み合わせるか又は適用することができる、様々な非網羅的な方法に関する。以下の実施例は、本出願における又は本出願の後の出願におけるどの時点でも提示され得る、いずれの特許請求の範囲の適用範囲をも限定することを目的としたものではないと理解されよう。一切の棄権を意図するものではない。以下の実施例は、単なる例示の目的で与えられるものに過ぎない。本明細書の様々な教示は、他の多くの方法で配置及び適用が可能であると考えられる。また、いくつかの変形形態では、以下の実施例において言及される特定の特徴を省略してよいことも考えられる。したがって、本発明者ら又は本発明者らの利益の継承者により、後日、そうである旨が明示的に示されない限り、以下に言及される態様又は特徴のいずれも重要なものとして見なされるべきではない。以下に言及される特徴以外の更なる特徴を含む特許請求の範囲が本出願において、又は本出願に関連する後の出願において示される場合、それらの更なる特徴は、特許性に関連するいかなる理由によっても追加されたものとして仮定されるべきではない。
【実施例１】
【００５９】
超音波外科用器具であって、（ａ）本体と、（ｂ）本体によって支持されるように構成されている超音波トランスデューサと、（ｃ）本体から遠位に延在し、シャフト軸を画定するシャフトと、（ｄ）シャフトを通じて遠位に延在するように構成されている導波管と、（ｅ）シャフトの遠位端に配置されたエンドエフェクタであって、エンドエフェクタは、（ｉ）導波管の遠位端に連結され、組織を処置するように構成されている一次ブレード処置面を有する超音波ブレードであって、超音波トランスデューサは、導波管及び超音波ブレードを、超音波エネルギーで駆動するように構成されている、超音波ブレード、及び、（ｉｉ）シャフトの遠位端に連結されたクランプアームであって、クランプアームは、一次ブレード処置面に対して組織をクランプするように構成されている、クランプアーム、を備える、エンドエフェクタと、を備え、シャフト及び導波管は、アセンブリ状態と動作状態との間の所定の角度運動範囲に亘って、シャフト軸を中心に互いに対して選択的に回転可能であり、アセンブリ状態において、クランプアーム及び一次ブレード処置面が互いから回転式にオフセットされ、動作状態において、クランプアーム及び一次ブレード処置面は、互いに対して回転式に整合されている、超音波外科用器具。
【実施例２】
【００６０】
クランプアームは、外科用器具が動作状態にあるとき、一次ブレード処置面と対峙するように構成されている、実施例１に記載の超音波外科用器具。
【実施例３】
【００６１】
所定の角度運動範囲は、少なくとも９０度の角度運動を含む、実施例１又は２のいずれか１つ以上に記載の超音波外科用器具。
【実施例４】
【００６２】
シャフトは、外側シャフト管と、外側シャフト管内に受容されるように構成されている内側シャフト管と、を備え、クランプアームは、外側シャフト管に連結され、導波管は、内側シャフト管内に配設され、外側シャフト管及び内側シャフト管は、所定の角度運動範囲に亘って、互いに対して回転可能である、実施例１〜３のいずれか１つ以上に記載の超音波外科用器具。
【実施例５】
【００６３】
シャフトは、外科用器具が動作状態にあるときに、外側シャフト管を内側シャフト管と回転式に連結するように構成されているコネクタ要素を更に備える、実施例４に記載の超音波外科用器具。
【実施例６】
【００６４】
（ａ）本体に連結された第１の整合部材と、（ｂ）導波管に連結された第２の整合部材と、を更に備え、第１及び第２の整合部材は、互いに係合し、所定の角度運動範囲に亘って、シャフトと導波管との間の相対的な回転を案内するように構成されている、実施例１〜５のいずれか１つ以上に記載の超音波外科用器具。
【実施例７】
【００６５】
第１の整合部材は、突出部又はスロットのうちの一方を含み、第２の整合部材は、突出部又はスロットのうちの他方を含み、突出部は、スロット内で摺動可能である、実施例６に記載の超音波外科用器具。
【実施例８】
【００６６】
第１の整合部材は、本体に連結された整合管を備え、導波管は、整合管を通って遠位に延在するように構成されている、実施例６又は７のいずれか１つ以上に記載の超音波外科用器具。
【実施例９】
【００６７】
スロットの少なくとも一部は、シャフト軸に対して角度を有して延在し、スロットを通る突出部の遠位移動に応じて、シャフトに対する導波管の回転を方向付けるように構成されている、実施例７又は８のいずれか１つ以上に記載の超音波外科用器具。
【実施例１０】
【００６８】
スロットは、シャフトに対する導波管の回転を、第１の角度方向に方向付けるように構成されている第１の角度部分と、シャフトに対する導波管の回転を第２の角度方向に方向付けるように構成されている第２の角度部分と、を備え、第２の角度部分は、第１の角度部分の遠位に配置されている、実施例９に記載の超音波外科用器具。
【実施例１１】
【００６９】
スロットは、突出部と係合して、シャフトに対する導波管の回転を方向付けるように構成されている、第１及び第２のカム面を含む、実施例９又は１０のいずれか１つ以上に記載の超音波外科用器具。
【実施例１２】
【００７０】
第１の整合部材は、本体に連結された整合管を備え、第２の整合部材は、シャフトの近位端に連結された整合プラグを備え、整合管は、整合プラグを受容するように構成されており、整合プラグは、アセンブリ状態と動作状態との間で器具を移行させるため、所定の角度運動範囲に亘って、整合管に対して回転するように構成されている、実施例６〜８のいずれか１つ以上に記載の超音波外科用器具。
【実施例１３】
【００７１】
整合プラグは、器具がアセンブリ状態にあり、整合プラグが本体に対して整合管と共に並進することが防止された第１のプラグ位置と、器具が動作状態にあり、整合プラグが本体に対して整合管と共に並進することが許容されることで、クランプアームを作動させる第２のプラグ位置との間で、整合管に対して回転可能である、実施例１２に記載の超音波外科用器具。
【実施例１４】
【００７２】
整合プラグは、ラグを含み、整合管は、ラグを受容するように構成されている、周方向に延在したスロットを含み、周方向に延在したスロットは、第１のプラグ位置を画定する第１のスロット端と、第２のプラグ位置を画定する第２のスロット端とを有する、実施例１３に記載の超音波外科用器具。
【実施例１５】
【００７３】
本体に連結された外側案内管を更に備え、整合管は、外側案内管の第１の端部内に配設され、整合プラグは、外側案内管の第２の端部内に受容されるように構成されている、実施例１２〜１４のいずれか１つ以上に記載の超音波外科用器具。
【実施例１６】
【００７４】
超音波外科用器具であって、（ａ）本体と、（ｂ）本体によって支持されるように構成されている超音波トランスデューサと、（ｃ）超音波トランスデューサから遠位に延在し、超音波ブレードで終端する導波管であって、超音波トランスデューサは、導波管及び超音波ブレードを、超音波エネルギーで駆動するように構成されている、導波管と、（ｄ）本体から遠位に延在し、シャフト軸を画定する第１のシャフト管と、（ｅ）本体に連結された第１のシャフト整合部材と、（ｆ）本体に対して選択的に連結可能である、取り外し可能なアセンブリであって、取り外し可能なアセンブリは、（ｉ）取り外し可能なアセンブリが本体と連結されているとき、第１のシャフト管と共に長手方向に延在するように構成されている第２のシャフト管、及び、（ｉｉ）第２のシャフト管に連結された第２のシャフト整合部材、を備える、取り外し可能なアセンブリと、を備え、第１及び第２のシャフト整合部材は、互いに係合して、第１のシャフト管と第２のシャフト管との間の相対的な回転を案内することにより、取り外し可能なアセンブリが本体に連結されているとき、第１及び第２のシャフト管を互いに対して回転式の整合に配向するように構成されている、超音波外科用器具。
【実施例１７】
【００７５】
第１又は第２のシャフト整合部材のうちの一方は、突出部を含み、第１又は第２のシャフト整合部材のうちの他方は、突出部を受容するように構成されているスロットを含み、スロットは、シャフト軸の周りを周方向に延在する経路に沿って、突出部を案内するように構成されている、実施例１６に記載の超音波外科用器具。
【実施例１８】
【００７６】
第１のシャフト整合部材は、管を備え、管は、本体に対してシャフト軸の周りを回転するように構成されている、実施例１６又は１７のいずれか１つ以上に記載の超音波外科用器具。
【実施例１９】
【００７７】
超音波外科用器具であって、（ａ）本体と、（ｂ）本体から遠位に延在するシャフト管と、（ｃ）本体と選択的に連結可能である、取り外し可能なアセンブリであって、取り外し可能なアセンブリは、（ｉ）超音波トランスデューサ、及び、（ｉｉ）超音波トランスデューサから遠位に延在し、超音波ブレードで終端する導波管であって、導波管は、シャフト管内に受容されるように構成されている、導波管、を備える、取り外し可能なアセンブリと、を備え、超音波トランスデューサは、導波管及び超音波ブレードを、超音波エネルギーで駆動するように構成されており、導波管及び超音波ブレードは、本体に対する取り外し可能なアセンブリの長手方向の移動に応じて、所定の角度運動範囲に亘って、シャフト管に対して回転するように構成されている、超音波外科用器具。
【実施例２０】
【００７８】
（ａ）本体に連結された第１の整合部材と、（ｂ）取り外し可能なアセンブリに連結された第２の整合部材と、を更に備え、第１及び第２の整合部材は、互いに係合し、シャフト管に対する導波管及び超音波ブレードの回転を案内するように構成されている、実施例１９に記載の超音波外科用器具。
【００７９】
ＩＶ．その他
本明細書に記載の教示、表現要素、実施形態、実施例などのうちのいずれか１つ又は２つ以上を、本明細書に記載の他の教示、表現要素、実施形態、実施例などのうちのいずれか１つ又は２つ以上と組み合わせることができる点が理解されるべきである。したがって、上記の教示、表現、実施形態、実施例などは、互いに対して独立して考慮されるべきではない。本明細書の教示を考慮することで、本明細書の教示を組み合わせることができる様々な好適な方法が、当業者には容易に明らかとなろう。このような改変及び変形形態は、「特許請求の範囲」の範囲内に含まれるものとする。
【００８０】
本明細書に参照により組み込まれると言及されるいかなる特許、公報、又は他の開示内容も、全体的に又は部分的に、組み込まれる内容が現行の定義、見解、又は本開示に記載される他の開示内容とあくまで矛盾しない範囲でのみ本明細書に組み込まれると理解されるべきである。それ自体、また必要な範囲で、本明細書に明瞭に記載された開示内容は、参考により本明細書に組み込まれるあらゆる矛盾する記載に優先するものとする。現行の定義、見解、又は本明細書に記載されたその他の開示内容と矛盾する任意の内容、又はそれらの部分は本明細書に参考として組み込まれるものとするが、参照内容と現行の開示内容との間に矛盾が生じない範囲においてのみ、参照されるものとする。
【００８１】
上記のデバイスの変形形態は、医療専門家により行われる従来の医療処置及び手術における用途のみではなく、ロボット支援された医療処置（treatment）及び処置（procedure）における用途をも有することができる。単なる例として、本明細書の様々な教示は、ロボット外科用システム、例えばＩｎｔｕｉｔｉｖｅ  Ｓｕｒｇｉｃａｌ，Ｉｎｃ．（Ｓｕｎｎｙｖａｌｅ，Ｃａｌｉｆｏｒｎｉａ）によるＤＡＶＩＮＣＩ（商標）システムなどに容易に組み込むことができる。同様に、当業者であれば、本明細書における様々な教示を、以下のうちのいずれかの様々な教示と容易に組み合わせることができることを認識するであろう：その開示が参照により本明細書に組み込まれる、１９９８年８月１１日に交付された「Ａｒｔｉｃｕｌａｔｅｄ  Ｓｕｒｇｉｃａｌ  Ｉｎｓｔｒｕｍｅｎｔ  Ｆｏｒ  Ｐｅｒｆｏｒｍｉｎｇ  Ｍｉｎｉｍａｌｌｙ  Ｉｎｖａｓｉｖｅ  Ｓｕｒｇｅｒｙ  Ｗｉｔｈ  Ｅｎｈａｎｃｅｄ  Ｄｅｘｔｅｒｉｔｙ  ａｎｄ  Ｓｅｎｓｉｔｉｖｉｔｙ」と題する米国特許第５，７９２，１３５号；１９９８年１０月６日発行の、「Ｒｅｍｏｔｅ  Ｃｅｎｔｅｒ  Ｐｏｓｉｔｉｏｎｉｎｇ  Ｄｅｖｉｃｅ  ｗｉｔｈ  Ｆｌｅｘｉｂｌｅ  Ｄｒｉｖｅ」と題する、米国特許第５，８１７，０８４号、その開示は参照により本明細書に組み込まれる；１９９９年３月２日に発行された、「Ａｕｔｏｍａｔｅｄ  Ｅｎｄｏｓｃｏｐｅ  Ｓｙｓｔｅｍ  ｆｏｒ  Ｏｐｔｉｍａｌ  Ｐｏｓｉｔｉｏｎｉｎｇ」と題する、米国特許第５，８７８，１９３号、その開示は参照により本明細書に組み込まれる；２００１年５月１５日に発行された、「Ｒｏｂｏｔｉｃ  Ａｒｍ  ＤＬＵＳ  ｆｏｒ  Ｐｅｒｆｏｒｍｉｎｇ  Ｓｕｒｇｉｃａｌ  Ｔａｓｋｓ」と題する、米国特許第６，２３１，５６５号、その開示は参照により本明細書に組み込まれる；２００４年８月３１日に発行された、「Ｒｏｂｏｔｉｃ  Ｓｕｒｇｉｃａｌ  Ｔｏｏｌ  ｗｉｔｈ  Ｕｌｔｒａｓｏｕｎｄ  Ｃａｕｔｅｒｉｚｉｎｇ  ａｎｄ  Ｃｕｔｔｉｎｇ  Ｉｎｓｔｒｕｍｅｎｔ」と題する、米国特許第６，７８３，５２４号、その開示は参照により本明細書に組み込まれる；２００２年４月２日に発行された、「Ａｌｉｇｎｍｅｎｔ  ｏｆ  Ｍａｓｔｅｒ  ａｎｄ  Ｓｌａｖｅ  ｉｎ  ａ  Ｍｉｎｉｍａｌｌｙ  Ｉｎｖａｓｉｖｅ  Ｓｕｒｇｉｃａｌ  Ａｐｐａｒａｔｕｓ」と題する、米国特許第６，３６４，８８８号、その開示は参照により本明細書に組み込まれる；２００９年４月２８日に発行された、「Ｍｅｃｈａｎｉｃａｌ  Ａｃｔｕａｔｏｒ  Ｉｎｔｅｒｆａｃｅ  Ｓｙｓｔｅｍ  ｆｏｒ  Ｒｏｂｏｔｉｃ  Ｓｕｒｇｉｃａｌ  Ｔｏｏｌｓ」と題する、米国特許第７，５２４，３２０号、その開示は参照により本明細書に組み込まれる；２０１０年４月６日に発行された、「Ｐｌａｔｆｏｒｍ  Ｌｉｎｋ  Ｗｒｉｓｔ  Ｍｅｃｈａｎｉｓｍ」と題する、米国特許第７，６９１，０９８号、その開示は参照により本明細書に組み込まれる；２０１０年１０月５日発行の、「Ｒｅｐｏｓｉｔｉｏｎｉｎｇ  ａｎｄ  Ｒｅｏｒｉｅｎｔａｔｉｏｎ  ｏｆ  Ｍａｓｔｅｒ／Ｓｌａｖｅ  Ｒｅｌａｔｉｏｎｓｈｉｐ  ｉｎ  Ｍｉｎｉｍａｌｌｙ  Ｉｎｖａｓｉｖｅ  Ｔｅｌｅｓｕｒｇｅｒｙ」と題する、米国特許第７���８０６，８９１号、その開示は参照により本明細書に組み込まれる；２０１４年９月３０日発行の、「Ａｕｔｏｍａｔｅｄ  Ｅｎｄ  Ｅｆｆｅｃｔｏｒ  Ｃｏｍｐｏｎｅｎｔ  Ｒｅｌｏａｄｉｎｇ  Ｓｙｓｔｅｍ  ｆｏｒ  Ｕｓｅ  ｗｉｔｈ  ａ  Ｒｏｂｏｔｉｃ  Ｓｙｓｔｅｍ」と題する、米国特許第８，８４４，７８９号、その開示は参照により本明細書に組み込まれる；２０１４年９月２日に発行された、「Ｒｏｂｏｔｉｃａｌｌｙ−Ｃｏｎｔｒｏｌｌｅｄ  Ｓｕｒｇｉｃａｌ  Ｉｎｓｔｒｕｍｅｎｔｓ」と題する、米国特許第８，８２０，６０５号、その開示は参照により本明細書に組み込まれる；２０１３年１２月３１日に発行された、「Ｓｈｉｆｔａｂｌｅ  Ｄｒｉｖｅ  Ｉｎｔｅｒｆａｃｅ  ｆｏｒ  Ｒｏｂｏｔｉｃａｌｌｙ−Ｃｏｎｔｒｏｌｌｅｄ  Ｓｕｒｇｉｃａｌ  Ｔｏｏｌ」と題する、米国特許第８，６１６，４３１号、その開示は参照により本明細書に組み込まれる；２０１３年１１月５日に発行された、「Ｓｕｒｇｉｃａｌ  Ｓｔａｐｌｉｎｇ  Ｉｎｓｔｒｕｍｅｎｔｓ  ｗｉｔｈ  Ｃａｍ−Ｄｒｉｖｅｎ  Ｓｔａｐｌｅ  Ｄｅｐｌｏｙｍｅｎｔ  Ａｒｒａｎｇｅｍｅｎｔｓ」と題する、米国特許第８，５７３，４６１号、その開示は参照により本明細書に組み込まれる；２０１３年１２月１０日に発行された、「Ｒｏｂｏｔｉｃａｌｌｙ−Ｃｏｎｔｒｏｌｌｅｄ  Ｍｏｔｏｒｉｚｅｄ  Ｓｕｒｇｉｃａｌ  Ｅｎｄ  Ｅｆｆｅｃｔｏｒ  Ｓｙｓｔｅｍ  ｗｉｔｈ  Ｒｏｔａｒｙ  Ａｃｔｕａｔｅｄ  Ｃｌｏｓｕｒｅ  Ｓｙｓｔｅｍｓ  Ｈａｖｉｎｇ  Ｖａｒｉａｂｌｅ  Ａｃｔｕａｔｉｏｎ  Ｓｐｅｅｄｓ」と題する、米国特許第８，６０２，２８８号、その開示は参照により本明細書に組み込まれる；２０１６年４月５日に発行された、「Ｒｏｂｏｔｉｃａｌｌｙ−Ｃｏｎｔｒｏｌｌｅｄ  Ｓｕｒｇｉｃａｌ  Ｉｎｓｔｒｕｍｅｎｔ  ｗｉｔｈ  Ｓｅｌｅｃｔｉｖｅｌｙ  Ａｒｔｉｃｕｌａｔａｂｌｅ  Ｅｎｄ  Ｅｆｆｅｃｔｏｒ」と題された米国特許第９，３０１，７５９号、その開示は参照により本明細書に組み込まれる；２０１４年７月２２日に発行された、「Ｒｏｂｏｔｉｃａｌｌｙ−Ｃｏｎｔｒｏｌｌｅｄ  Ｓｕｒｇｉｃａｌ  Ｅｎｄ  Ｅｆｆｅｃｔｏｒ  Ｓｙｓｔｅｍ」と題する、米国特許第８，７８３，５４１号、その開示は参照により本明細書に組み込まれる；２０１３年７月９日に発行された、「Ｄｒｉｖｅ  Ｉｎｔｅｒｆａｃｅ  ｆｏｒ  Ｏｐｅｒａｂｌｙ  Ｃｏｕｐｌｉｎｇ  ａ  Ｍａｎｉｐｕｌａｔａｂｌｅ  Ｓｕｒｇｉｃａｌ  Ｔｏｏｌ  ｔｏ  ａ  Ｒｏｂｏｔ」と題する、米国特許第８，４７９，９６９号、その開示は参照により本明細書に組み込まれる；２０１４年８月１２日に発行された、「Ｒｏｂｏｔｉｃａｌｌｙ  Ｃｏｎｔｒｏｌｌｅｄ  Ｃａｂｌｅ−Ｂａｓｅｄ  Ｓｕｒｇｉｃａｌ  Ｅｎｄ  Ｅｆｆｅｃｔｏｒｓ」と題する、米国特許第８，８００，８３８号、その開示が参照により本明細書に組み込まれる；及び／又は、２０１３年１１月５日に発行された、「Ｒｏｂｏｔｉｃａｌｌｙ−Ｃｏｎｔｒｏｌｌｅｄ  Ｓｕｒｇｉｃａｌ  Ｅｎｄ  Ｅｆｆｅｃｔｏｒ  Ｓｙｓｔｅｍ  ｗｉｔｈ  Ｒｏｔａｒｙ  Ａｃｔｕａｔｅｄ  Ｃｌｏｓｕｒｅ  Ｓｙｓｔｅｍｓ」と題する、米国特許第８，５７３，４６５号、その開��は参照により本明細書に組み込まれる。
【００８２】
上述のデバイスの変形形態は、１回の使用後に処分するように設計することができ、又はそれらは、複数回使用するように設計することができる。変形形態は、いずれか又は両方の場合においても、少なくとも１回の使用後に再利用のために再調整され得る。再調整は、デバイスの分解工程、それに続く特定の部品の洗浄又は交換工程、及びその後の再組み立て工程の、任意の組み合わせを含み得る。特に、デバイスのいくつかの変形形態は分解することができ、また、デバイスの任意の数の特定の部分若しくは部品を、任意の組み合わせで選択的に交換又は取り外してもよい。特定の部品の洗浄及び／又は交換後、デバイスのいくつかの変形形態を、再調整用の施設において、又は処置の直前に使用者によってのいずれかで、その後の使用のために再組み立てすることができる。当業者であれば、デバイスの再調整において、分解、洗浄／交換、及び再組み立てのための様々な技術を利用することができることを理解するであろう。こうした技術の使用、及び結果として得られる再調整された装置は、全て本出願の範囲内にある。
【００８３】
単なる例として、本明細書に記載される変形形態は、処置の前及び／又は後に滅菌されてもよい。１つの滅菌技術では、デバイスをプラスチック製又はＴＹＶＥＫ製のバックなど、閉鎖及び封止された容器に入れる。次いで、容器及びデバイスを、γ線、Ｘ線、又は高エネルギー電子線などの、容器を透過し得る放射線場に置いてもよい。放射線は、デバイス上及び容器内の細菌を死滅させ得る。次に、滅菌されたデバイスを、後の使用のために、滅菌容器内に保管してもよい。β線若しくはγ線、エチレンオキシド、又は水蒸気が挙げられるがこれらに限定されない、当該技術分野で既知の任意の他の技術を用いて、デバイスを滅菌してもよい。
【００８４】
以上、本発明の様々な実施形態を示し、記載したが、当業者による適切な改変により、本発明の範囲から逸脱することなく、本明細書に記載の方法及びシステムの更なる適合化を実現することができる。そのような可能な改変のうちのいくつかについて述べたが、他の改変も当業者には明らかとなるであろう。例えば、上記の実施例、実施形態、形状、材料、寸法、比率、工程などは例示的なものであって、必須のものではない。したがって、本発明の範囲は、以下の特許請求の範囲の観点から考慮されるべきものであり、本明細書及び図面において図示され、説明された構造及び動作の細部に限定されないものとして、理解されたい。
【００８５】
〔実施の態様〕
（１）  超音波外科用器具であって、
（ａ）本体と、
（ｂ）前記本体によって支持されるように構成されている超音波トランスデューサと、
（ｃ）前記本体から遠位に延在し、シャフト軸を画定するシャフトと、
（ｄ）前記シャフトを通じて遠位に延在するように構成されている導波管と、
（ｅ）前記シャフトの遠位端に配置されたエンドエフェクタであって、前記エンドエフェクタは、
（ｉ）前記導波管の遠位端に連結され、組織を処置するように構成されている一次ブレード処置面を有する超音波ブレードであって、前記超音波トランスデューサは、前記導波管及び前記超音波ブレードを、超音波エネルギーで駆動するように構成されている、超音波ブレード、及び、
（ｉｉ）前記シャフトの前記遠位端に連結されたクランプアームであって、前記クランプアームは、前記一次ブレード処置面に対して組織をクランプするように構成されている、クランプアーム、を備える、エンドエフェクタと、を備え、
前記シャフト及び前記導波管は、アセンブリ状態と動作状態との間の所定の角度運動範囲に亘って、前記シャフト軸を中心に互いに対して選択的に回転可能であり、前記アセンブリ状態において、前記クランプアーム及び前記一次ブレード処置面が互いから回転式にオフセットされ、前記動作状態において、前記クランプアーム及び前記一次ブレード処置面は、互いに対して回転式に整合されている、超音波外科用器具。
（２）  前記クランプアームは、前記外科用器具が前記動作状態にあるとき、前記一次ブレード処置面と対峙するように構成されている、実施態様１に記載の超音波外科用器具。
（３）  前記所定の角度運動範囲は、少なくとも９０度の角度運動を含む、実施態様１に記載の超音波外科用器具。
（４）  前記シャフトは、外側シャフト管と、前記外側シャフト管内に受容されるように構成されている内側シャフト管と、を備え、前記クランプアームは、前記外側シャフト管に連結され、前記導波管は、前記内側シャフト管内に配設され、前記外側シャフト管及び前記内側シャフト管は、前記所定の角度運動範囲に亘って、互いに対して回転可能である、実施態様１に記載の超音波外科用器具。
（５）  前記シャフトは、前記外科用器具が前記動作状態にあるときに、前記外側シャフト管を前記内側シャフト管と回転式に連結するように構成されているコネクタ要素を更に備える、実施態様４に記載の超音波外科用器具。
【００８６】
（６）  （ａ）前記本体に連結された第１の整合部材と、
（ｂ）導波管に連結された第２の整合部材と、を更に備え、
前記第１及び第２の整合部材は、互いに係合し、前記所定の角度運動範囲に亘って、前記シャフトと前記導波管との間の相対的な回転を案内するように構成されている、実施態様１に記載の超音波外科用器具。
（７）  前記第１の整合部材は、突出部又はスロットのうちの一方を含み、前記第２の整合部材は、突出部又はスロットのうちの他方を含み、前記突出部は、前記スロット内で摺動可能である、実施態様６に記載の超音波外科用器具。
（８）  前記第１の整合部材は、前記本体に連結された整合管を備え、前記導波管は、前記整合管を通って遠位に延在するように構成されている、実施態様７に記載の超音波外科用器具。
（９）  前記スロットの少なくとも一部は、前記シャフト軸に対して角度を有して延在し、前記スロットを通る前記突出部の遠位移動に応じて、前記シャフトに対する前記導波管の回転を方向付けるように構成されている、実施態様７に記載の超音波外科用器具。
（１０）  前記スロットは、前記シャフトに対する前記導波管の回転を、第１の角度方向に方向付けるように構成されている第１の角度部分と、前記シャフトに対する前記導波管の回転を第２の角度方向に方向付けるように構成されている第２の角度部分と、を備え、前記第２の角度部分は、前記第１の角度部分の遠位に配置されている、実施態様９に記載の超音波トランスデューサ。
【００８７】
（１１）  前記スロットは、前記突出部と係合して、前記シャフトに対する前記導波管の回転を方向付けるように構成されている、第１及び第２のカム面を含む、実施態様９に記載の超音波トランスデューサ。
（１２）  前記第１の整合部材は、前記本体に連結された整合管を備え、前記第２の整合部材は、前記シャフトの近位端に連結された整合プラグを備え、前記整合管は、前記整合プラグを受容するように構成されており、前記整合プラグは、前記アセンブリ状態と前記動作状態との間で前記器具を移行させるため、前記所定の角度運動範囲に亘って、前記整合管に対して回転するように構成されている、実施態様６に記載の超音波外科用器具。
（１３）  前記整合プラグは、前記器具が前記アセンブリ状態にあり、前記整合プラグが前記本体に対して前記整合管と共に並進することが防止された第１のプラグ位置と、前記器具が前記動作状態にあり、前記整合プラグが前記本体に対して前記整合管と共に並進することが許容されることで、前記クランプアームを作動させる第２のプラグ位置との間で、前記整合管に対して回転可能である、実施態様１２に記載の超音波外科用器具。
（１４）  前記整合プラグは、ラグを含み、前記整合管は、前記ラグを受容するように構成されている、周方向に延在したスロットを含み、前記周方向に延在したスロットは、前記第１のプラグ位置を画定する第１のスロット端と、前記第２のプラグ位置を画定する第２のスロット端とを有する、実施態様１３に記載の超音波外科用器具。
（１５）  前記本体に連結された外側案内管を更に備え、前記整合管は、前記外側案内管の第１の端部内に配設され、前記整合プラグは、前記外側案内管の第２の端部内に受容されるように構成されている、実施態様１２に記載の超音波外科用器具。
【００８８】
（１６）  超音波外科用器具であって、
（ａ）本体と、
（ｂ）前記本体によって支持されるように構成されている超音波トランスデューサと、
（ｃ）前記超音波トランスデューサから遠位に延在し、超音波ブレードで終端する導波管であって、前記超音波トランスデューサは、前記導波管及び前記超音波ブレードを、超音波エネルギーで駆動するように構成されている、導波管と、
（ｄ）前記本体から遠位に延在し、シャフト軸を画定する第１のシャフト管と、
（ｅ）前記本体に連結された第１のシャフト整合部材と、
（ｆ）前記本体に対して選択的に連結可能である、取り外し可能なアセンブリであって、前記取り外し可能なアセンブリは、
（ｉ）前記取り外し可能なアセンブリが前記本体と連結されているとき、前記第１のシャフト管と共に長手方向に延在するように構成されている第２のシャフト管、及び、
（ｉｉ）前記第２のシャフト管に連結された第２のシャフト整合部材、を備える、取り外し可能なアセンブリと、を備え、
前記第１及び第２のシャフト整合部材は、互いに係合して、前記第１のシャフト管と第２のシャフト管との間の相対的な回転を案内することにより、前記取り外し可能なアセンブリが前記本体に連結されているとき、前記第１及び第２のシャフト管を互いに対して回転式の整合に配向するように構成されている、超音波外科用器具。
（１７）  前記第１又は第２のシャフト整合部材のうちの一方は、突出部を含み、前記第１又は第２のシャフト整合部材のうちの他方は、前記突出部を受容するように構成されているスロットを含み、前記スロットは、前記シャフト軸の周りを周方向に延在する経路に沿って、前記突出部を案内するように構成されている、実施態様１６に記載の超音波外科用器具。
（１８）  前記第１のシャフト整合部材は、管を備え、前記管は、前記本体に対して前記シャフト軸の周りを回転するように構成されている、実施態様１６に記載の超音波外科用器具。
（１９）  超音波外科用器具であって、
（ａ）本体と、
（ｂ）前記本体から遠位に延在するシャフト管と、
（ｃ）前記本体と選択的に連結可能である、取り外し可能なアセンブリであって、前記取り外し可能なアセンブリは、
（ｉ）超音波トランスデューサ、及び、
（ｉｉ）前記超音波トランスデューサから遠位に延在し、超音波ブレードで終端する導波管であって、前記導波管は、前記シャフト管内に受容されるように構成されている、導波管、を備える、取り外し可能なアセンブリと、を備え、
前記超音波トランスデューサは、前記導波管及び前記超音波ブレードを、超音波エネルギーで駆動するように構成されており、
前記導波管及び前記超音波ブレードは、前記本体に対する前記取り外し可能なアセンブリの長手方向の移動に応じて、所定の角度運動範囲に亘って、前記シャフト管に対して回転するように構成されている、超音波外科用器具。
（２０）  （ａ）前記本体に連結された第１の整合部材と、
（ｂ）前記取り外し可能なアセンブリに連結された第２の整合部材と、を更に備え、
前記第１及び第２の整合部材は、互いに係合し、前記シャフト管に対する前記導波管及び前記超音波ブレードの回転を案内するように構成されている、実施態様１９に記載の超音波外科用器具。
【図１】
2020531196.tif 000003
【図２】
2020531196.tif 000004
【図３】
2020531196.tif 000005
【図４】
2020531196.tif 000006
【図５】
2020531196.tif 000007
【図６】
2020531196.tif 000008
【図７】
2020531196.tif 000009
【図８】
2020531196.tif 000010
【図９】
2020531196.tif 000011
【図１０】
2020531196.tif 000012
【図１１】
2020531196.tif 000013
【図１２Ａ】
2020531196.tif 000014
【図１２Ｂ】
2020531196.tif 000015
【図１３Ａ】
2020531196.tif 000016
【図１３Ｂ】
2020531196.tif 000017
【図１４Ａ】
2020531196.tif 000018
【図１４Ｂ】
2020531196.tif 000019
【図１５Ａ】
2020531196.tif 000020
【図１５Ｂ】
2020531196.tif 000021
【図１６】
2020531196.tif 000022
【図１７】
2020531196.tif 000023
【図１８】
2020531196.tif 000024
【図１９】
2020531196.tif 000025
【図２０】
2020531196.tif 000026
【図２１】
2020531196.tif 000027
【図２２Ａ】
2020531196.tif 000028
【図２２Ｂ】
2020531196.tif 000029
【図２３Ａ】
2020531196.tif 000030
【図２３Ｂ】
2020531196.tif 000031
【図２４Ａ】
2020531196.tif 000032
【図２４Ｂ】
2020531196.tif 000033
【図２５Ａ】
2020531196.tif 000034
【図２５Ｂ】
2020531196.tif 000035
【図２６】
2020531196.tif 000036
【図２７】
2020531196.tif 000037
【国際調査報告】
2020531196.tif 000038
2020531196.tif 000039
2020531196.tif 000040